(57)【要約】【課題】室内に露出する吸込口や吹出口の小型化が可能な加湿空調システムを提供する。【解決手段】加湿空調システム１Ａは、空気を吸い込み、吸い込んだ空気を吹き出すファンユニット２Ａと、ファンユニット２Ａから吹き出された空気を加熱して、温風ＨＡを浴室１０１に吹き出すヒータユニット３Ａと、ファンユニット２Ａから吹き出された空気を加湿して、加湿空気ＷＡを浴室１０１に吹き出す加湿ユニット４Ａと、ファンユニット２Ａで空気が吸い込まれる吸込口ユニット５Ａを備える。ヒータユニット３Ａの吹出グリル３６と、加湿ユニット４Ａの吹出グリル４７と、吸込口ユニット５Ａの吸込グリル５０は独立した構成で小型化が図られ、ファンユニット２Ａは浴室１０１の天井に露出しない。【選択図】        図１
2008151453.tif 000002
【特許請求の範囲】
【請求項１】
外部吸込口から空気を吸い込み、前記外部吸込口から吸い込んだ空気を外部吹出口から吹き出す送風手段を有した送風装置と、
前記送風装置の前記外部吹出口にダクト部材を介して空気吸込口が接続され、前記送風装置から前記ダクト部材を通って送られた空気を室内に吹き出す室内吹出口、及び前記空気吸込口から前記室内吹出口と外部排出口との間で風路を形成する風路切換手段を有すると共に、前記室内吹出口から室内に吹き出される空気を加熱する加熱手段を有した空気吹出部と、
前記空気吹出部の前記外部排出口にダクト部材を介して空気吸込口が接続され、前記送風装置から前記空気吹出部及び前記ダクト部材を通って送られた空気を加湿して加湿空気を生成する加湿手段を有すると共に、前記加湿手段で加湿された空気を前記室内に吹き出す加湿空気吹出口を有した空気加湿部と、
前記送風装置の前記外部吸込口にダクト部材を介して空気排出口が接続され、前記送風装置で吸い込む空気の流れによって、前記室内から空気を吸い込む室内吸込口を有した空気吸込部と
を備えたことを特徴とする加湿空調システム。
【請求項２】
前記空気加湿部は、前記送風装置から前記空気吹出部及び前記ダクト部材を介して送られた空気を、前記加湿空気吹出口から前記室内に吹き出すか屋外へ排出するかを切り換える風路切換手段を備えた
ことを特徴とする請求項１記載の加湿空調システム。
【請求項３】
外部吸込口から空気を吸い込み、前記外部吸込口から吸い込んだ空気を外部吹出口から吹き出す送風手段を有した送風装置と、
前記送風装置の前記外部吹出口にダクト部材を介して空気吸込口が接続され、前記送風装置から前記ダクト部材を通って送られた空気を吹き出す外部排出口を有すると共に、前記外部排出口から吹き出される空気を加湿して加湿空気を生成する加湿手段を有した空気加湿部と、
前記空気加湿部の前記外部排出口にダクト部材を介して空気吸込口が接続され、前記送風装置から前記空気加湿部及び前記ダクト部材を通って送られた空気を室内に吹き出す室内吹出口を有すると共に、前記室内吹出口から前記室内に吹き出される空気を加熱する加熱手段を有した空気吹出部と、
前記送風装置の前記外部吸込口にダクト部材を介して空気排出口が接続され、前記送風装置で吸い込む空気の流れによって、前記室内から空気を吸い込む室内吸込口を有した空気吸込部と
を備えたことを特徴とする加湿空調システム。
【請求項４】
前記空気吹出部は、前記送風装置から前記空気加湿部及び前記ダクト部材を通って送られた空気を、前記室内吹出口から前記室内に吹き出すか屋外へ排出するかを切り換える風路切換手段を備えた
ことを特徴とする請求項３記載の加湿空調システム。
【請求項５】
外部吸込口から空気を吸い込み、前記外部吸込口から吸い込んだ空気を外部吹出口から吹き出す送風手段を有した送風装置と、
前記送風装置の前記外部吹出口にダクト部材を介して空気吸込口が接続され、前記送風装置から前記ダクト部材を通って送られた空気を室内に吹き出す室内吹出口を有すると共に、前記室内吹出口から前記室内に吹き出される空気を加熱する加熱手段を有した空気吹出部と、
前記送風装置の前記外部吸込口にダクト部材を介して空気排出口が接続され、前記送風装置で吸い込む空気の流れによって、前記室内から空気を吸い込む室内吸込口を有すると共に、前記室内吸込口から吸い込んだ空気を加湿して加湿空気を生成する加湿手段を有した空気加湿部と
を備えたことを特徴とする加湿空調システム。
【請求項６】
前記空気吹出部は、前記送風装置から前記ダクト部材を通って送られた空気を、前記室内吹出口から前記室内に吹き出すか屋外へ排出するかを切り換える風路切換手段を備えた
ことを特徴とする請求項５記載の加湿空調システム。
【請求項７】
前記空気加湿部は、超音波振動子により水を振動させて発生させた微細化した水滴で空気を加湿して、加湿空気を生成する前記加湿手段、または、水加熱手段により水を加熱して発生させた水蒸気で空気を加湿して、加湿空気を生成する前記加湿手段を備えた
ことを特徴とする請求項１〜請求項６に何れか記載の加湿空調システム。
【発明の詳細な説明】
【技術分野】
【０００１】
本発明は、浴室やシャワー室等の室内の加湿暖房を行う加湿空調システムに関する。
【背景技術】
【０００２】
従来より、温水をミストとして浴室内に噴出し、浴室の加湿暖房を行うミスト装置が提案されている（例えば、特許文献１参照）。
【０００３】
このようなミスト装置は、単数もしくは複数のミストノズルを浴室の壁面等に設置して、給湯器から供給された温水をミストにして浴室内に噴出する構成である。
【０００４】
しかし、ミストの噴出のみで浴室を暖める場合、温度が十分に上がらないという問題があった。
【０００５】
そこで、暖房機による温風の吹き出しと併用してミストを噴出することで、短時間で浴室の温度を上げられるようにしたミスト装置が提案されている（例えば、特許文献２参照）。
【０００６】
また、加湿装置としては、超音波振動子により水を振動させ、微細化した水滴を発生させて空気を加湿する超音波加湿器や、ヒータで水を加熱して水蒸気を発生させて空気を加湿するヒータ式の加湿器も提案され、例えば、装置本体と室外機を備え、室外機に超音波加湿器を組み込んだ浴室乾燥機も提案されている（例えば、特許文献３参照）。
【０００７】
【特許文献１】特公平６−５９３０１号公報
【特許文献２】特開２００２−６１８６０号公報
【特許文献３】特許第３７５６０５５号公報
【発明の開示】
【発明が解決しようとする課題】
【０００８】
しかし、水を霧状のミストにして噴出し、加湿暖房を行う構成では、入浴者等が直接水滴を浴びることで体が濡れてしまい、発汗により体が濡れているのか、ミストにより体が濡れているのか判断しにくい状況になってしまい、加湿暖房を行っても、発汗を実感できないという問題があった。
【０００９】
これに対して、超音波加湿器やヒータ式の加湿器を利用すれば、直接水滴を浴び難くなって、加湿暖房による発汗は実感しやすくなるが、超音波加湿器で発生させた微細化した水滴やヒータ式の加湿器で発生させた水蒸気を送風する手段が備えられていないと、十分な加湿効果が得られないという問題があった。
【００１０】
また、微細化した水滴を送風するため、室外機に超音波加湿器を組み込んだ浴室乾燥機では、室内機と室外機の双方にファンやファンを駆動するためのモータが必要で、部品点数が多くなって、コストが上昇すると共に、装置が大型化するという問題があった。
【００１１】
更に、送風手段を組み込んだ加湿器と、浴室乾燥機の双方を浴室に設置する形態とすると、浴室の天井の２箇所に大きなフロントパネルを設置する必要があり、外観性を損ねて、見栄えが悪くなる虞があった。
【００１２】
本発明は、このような課題を解決するためになされたもので、浴室等の設置場所において、室内に露出する構成要素の小型化が可能な加湿空調システムを提供することを目的とする。
【課題を解決するための手段】
【００１３】
上述した課題を解決するため、本発明の加湿空調システムは、外部吸込口から空気を吸い込み、外部吸込口から吸い込んだ空気を外部吹出口から吹き出す送風手段を有した送風装置と、送風装置の外部吹出口にダクト部材を介して空気吸込口が接続され、送風装置からダクト部材を通って送られた空気を室内に吹き出す室内吹出口、及び空気吸込口から室内吹出口と外部排出口との間で風路を形成する風路切換手段を有すると共に、室内吹出口から室内に吹き出される空気を加熱する加熱手段を有した空気吹出部と、空気吹出部の外部排出口にダクト部材を介して空気吸込口が接続され、送風装置から空気吹出部及びダクト部材を通って送られた空気を加湿して加湿空気を生成する加湿手段を有すると共に、加湿手段で加湿された空気を室内に吹き出す加湿空気吹出口を有した空気加湿部と、送風装置の外部吸込口にダクト部材を介して空気排出口が接続され、送風装置で吸い込む空気の流れによって、室内から空気を吸い込む室内吸込口を有した空気吸込部とを備えたことを特徴とする。
【００１４】
本発明の加湿空調システムでは、空気吹出部の室内吹出口と、空気加湿部の加湿空気吹出口と、空気吸込部の室内吸込口が、浴室等の室内の天井に露出し、送風装置は室内に露出しない。
【００１５】
送風装置が駆動されると、空気吸込部の室内吸込口から室内の空気が吸い込まれ、室内吸込口から吸い込まれた空気は、ダクト部材を通って空気吹出部へ送られる。
【００１６】
空気吹出部では、送風装置から送られた空気の一部が室内吹出口へ分流され、加熱手段で加熱されて、室内吹出口から温風が吹き出される。また、送風装置から送られた空気の残部がダクト部材を通って空気加湿部に送られる。
【００１７】
空気加湿部では、送風装置から送られた空気の残部が加湿手段で加湿されて、加湿空気吹出口から加湿空気が吹き出される。
【００１８】
これにより、室内の空気を循環させながら、温風と加湿空気が吹き出され、室内の加湿暖房が行われる。
【００１９】
また、本発明の加湿空調システムは、外部吸込口から空気を吸い込み、外部吸込口から吸い込んだ空気を外部吹出口から吹き出す送風手段を有した送風装置と、送風装置の外部吹出口にダクト部材を介して空気吸込口が接続され、送風装置からダクト部材を通って送られた空気を吹き出す外部排出口を有すると共に、外部排出口から吹き出される空気を加湿して加湿空気を生成する加湿手段を有した空気加湿部と、空気加湿部の外部排出口にダクト部材を介して空気吸込口が接続され、送風装置から空気加湿部及びダクト部材を通って送られた空気を室内に吹き出す室内吹出口を有すると共に、室内吹出口から室内に吹き出される空気を加熱する加熱手段を有した空気吹出部と、送風装置の外部吸込口にダクト部材を介して空気排出口が接続され、送風装置で吸い込む空気の流れによって、室内から空気を吸い込む室内吸込口を有した空気吸込部とを備えたことを特徴とする。
【００２０】
本発明の加湿空調システムでは、空気吹出部の室内吹出口と、空気吸込部の室内吸込口が、浴室等の室内の天井に露出し、空気加湿部及び送風装置は室内に露出しない。
【００２１】
送風装置が駆動されると、空気吸込部の室内吸込口から室内の空気が吸い込まれ、室内吸込口から吸い込まれた空気は、ダクト部材を通って空気加湿部に送られる。
【００２２】
空気加湿部では、送風装置から送られた空気が加湿手段で加湿されて加湿空気が生成され、ダクト部材を通って空気吹出部へ送られる。空気吹出部では、空気加湿部から送られた加湿空気が加熱手段で加熱されて、室内吹出口から温湿風が吹き出される。
【００２３】
これにより、室内の空気を循環させながら、温湿風が吹き出され、室内の加湿暖房が行われる。
【００２４】
更に、本発明の加湿空調システムは、外部吸込口から空気を吸い込み、外部吸込口から吸い込んだ空気を外部吹出口から吹き出す送風手段を有した送風装置と、送風装置の外部吹出口にダクト部材を介して空気吸込口が接続され、送風装置からダクト部材を通って送られた空気を室内に吹き出す室内吹出口を有すると共に、室内吹出口から室内に吹き出される空気を加熱する加熱手段を有した空気吹出部と、送風装置の外部吸込口にダクト部材を介して空気排出口が接続され、送風装置で吸い込む空気の流れによって、室内から空気を吸い込む室内吸込口を有すると共に、室内吸込口から吸い込んだ空気を加湿して加湿空気を生成する加湿手段を有した空気加湿部とを備えたことを特徴とする。
【００２５】
本発明の加湿空調システムでは、空気吹出部の室内吹出口と、空気加湿部の室内吸込口が、浴室等の室内の天井に露出し、送風装置は室内に露出しない。
【００２６】
送風装置が駆動されると、空気加湿部の室内吸込口から室内の空気が吸い込まれ、室内吸込口から吸い込まれた空気は、加湿手段で加湿されて、ダクト部材を通って空気吹出部へ送られる。空気吹出部では、空気加湿部で生成されて送風装置から送られた加湿空気が加熱手段で加熱され、室内吹出口から温湿風が吹き出される。
【００２７】
これにより、室内の空気を循環させながら、温湿風が吹き出され、室内の加湿暖房が行われる。
【発明の効果】
【００２８】
本発明の加湿空調システムによれば、送風手段を有した送風装置に対して、室内吹出口を有した空気吹出部と室内吸込口を有した空気吸込部を独立させ、ダクト部材を介して接続すると共に、加湿手段を有した空気加湿部をダクト部材を介して接続したので、加湿暖房の機能を有した空調システムで、それぞれの装置の小型化が可能である。これにより、室内に露出する吸込口及び吹出口を構成するパネル部材の小型化が可能となり、パネル部材を室内で目立たなくすることが可能となって、見栄えが良くなる。
【００２９】
また、空気加湿部を空気吹出部の前段に配置すれば、室内吹出口を空気加湿部と空気吹出部で共用でき、あるいは、空気加湿部を送風装置の前段に配置して、室内吸込口を備えることで、空気加湿部に空気吸込部の機能を持たせることができるので、室内に露出する室内吹出口または室内吸込口の数を減らすことができる。
【００３０】
更に、空気加湿部の送風は、送風装置で発生させる空気の流れを利用することで、空気加湿部には、送風のためのファンやファンの駆動手段が不要となり、部品点数を削減することで低コスト化を図ることができると共に、装置の小型化が可能である。
【００３１】
また、室内吹出口及び室内吸込口がダクト部材を介して送風装置に接続されることで、室内における設置場所の制約が少なくなり、加湿空気の吹き出す位置を、加湿暖房に最適な位置となるように設置することも容易に可能となる。
【発明を実施するための最良の形態】
【００３２】
以下、図面を参照して本発明の加湿空調システムの実施の形態について説明する。
【００３３】
＜第１の実施の形態の加湿空調システムの構成例＞
（１−１）第１の実施の形態の加湿空調システムの全体構成の概要
図１は、第１の実施の形態の加湿空調システムの一例を示す構成図である。ここで、図１では、第１の実施の形態の加湿空調システム１Ａの各部の構成及び配置は模式的に図示している。
【００３４】
第１の実施の形態の加湿空調システム１Ａは、空気を吸い込み、吸い込んだ空気を吹き出すファンユニット２Ａを備える。また、加湿空調システム１Ａは、ファンユニット２Ａから吹き出された空気を加熱して、温風ＨＡを浴室１０１に吹き出すヒータユニット３Ａと、ファンユニット２Ａから吹き出された空気を加湿して、加湿空気ＷＡを浴室１０１に吹き出す加湿ユニット４Ａを備える。更に、加湿空調システム１Ａは、ファンユニット２Ａで空気が吸い込まれる吸込口ユニット５Ａを備える。
【００３５】
ファンユニット２Ａは、吸込口ユニット５Ａがダクト６ａを介して接続され、吸込口ユニット５Ａから浴室１０１の空気ＲＡが吸い込まれる。
【００３６】
また、ファンユニット２Ａは、ヒータユニット３Ａがダクト６ｂを介して接続され、ファンユニット２Ａで吹き出す空気がヒータユニット３Ａに送られて、ヒータユニット３Ａから温風ＨＡが吹き出される。
【００３７】
更に、ヒータユニット３Ａは、加湿ユニット４Ａがダクト６ｃを介して接続され、ファンユニット２Ａで吹き出す空気の一部が加湿ユニット４Ａに送られて、加湿ユニット４Ａから加湿空気ＷＡが吹き出される。
【００３８】
（１−２）ファンユニットの構成例
図２は、第１の実施の形態の加湿空調システム１Ａにおけるファンユニットの一例を示す構成図であり、次に、加湿空調システム１Ａを構成するファンユニット２Ａの構成について説明する。
【００３９】
ファンユニット２Ａは送風装置の一例で、空気を吸い込んで吹き出すファン部２０を備える。ファン部２０は送風手段の一例で、回転駆動される多翼のファン２１と、ファン２１を回転駆動するファンモータ２１ａと、風路を形成するファンケース２２を備える。
【００４０】
ファンユニット２Ａは、ファン２１の軸方向に沿ったファンケース２２の下面にファン吸込口２２ａを備え、ファンケース２２は、ファン２１が回転駆動されることでファン吸込口２２ａから吸い込んだ空気を、ファン２１の接線方向に吹き出す風路を形成する。
【００４１】
ファンユニット２Ａは、本体ケース２３の下面には吸込口や吹出口を設けず、ファン吸込口２２ａと連通して本体ケース２３の一の側面に、外部吸込口の一例である吸込口２４を備えると共に、ファンケース２２による吹出方向となる本体ケース２３の他の側面に、外部吹出口の一例である吹出口２５を備える。
【００４２】
また、ファンユニット２Ａは、吸込口２４に吸込ダクトジョイント２４ａを備えると共に、吹出口２５に吹出ダクトジョイント２５ａを備える。
【００４３】
（１−３）ヒータユニットの構成例
図３は、第１の実施の形態の加湿空調システム１Ａにおけるヒータユニットの一例を示す構成図であり、次に、加湿空調システム１Ａを構成するヒータユニット３Ａの構成について説明する。
【００４４】
ヒータユニット３Ａは室内吹出部の一例で、ファンユニット２Ａから吹き出される空気を浴室１０１に吹き出すか、排気または加湿ユニット４Ａに供給するかを切り換える風路切換部３０と、浴室５１へ吹き出す空気を加熱するヒータ３１とを備える。
【００４５】
風路切換部３０は風路切換手段の一例で、風路を切り換えるダンパ３２を備える。ダンパ３２は、図示しないダンパモータに駆動され、軸３２ａを支点に回転して風路の開閉動作を行う。
【００４６】
ヒータユニット３Ａは、風路切換部３０に連通して一の側面に空気吸込口の一例である吸込口３３を備える。また、ヒータユニット３Ａは、風路切換部３０によって切り換えられる風路に連通して下面に吹出口風路３４を備えると共に、他の側面に外部排出口の一例である排出口３５を備える。
【００４７】
ヒータ３１は加熱手段の一例で、吹出口風路３４にＰＴＣヒータ等の電気ヒータを備えて構成される。
【００４８】
ヒータユニット３Ａは、下面に吹出グリル３６を備える。吹出グリル３６は室内吹出口の一例で、所定の形状のパネル部に、吹出口風路３４とつながる吹出口３６ａを備えて構成される。
【００４９】
また、ヒータユニット３Ａは、吸込口３３に吸込ダクトジョイント３３ａを備えると共に、排出口３５に排出ダクトジョイント３５ａを備える。
【００５０】
ヒータユニット３Ａは、ダンパ３２を図３（ａ）に示す循環位置とすると、排出口３５への風路が遮断され、吸込口３３から吹出口風路３４へ連通した循環風路３０ａが形成される。
【００５１】
また、ダンパ３２を図３（ｂ）に示す換気位置とすると、吹出口風路３４への風路が遮断され、吸込口３３から排出口３５へ連通した換気風路３０ｂが形成される。
【００５２】
更に、ダンパ３２を図３（ｃ）に示す分流位置とすると、吸込口３３から吹出口風路３４へ連通した循環風路３０ａと、吸込口３３から排出口３５へ連通した換気風路３０ｂの双方が形成される。
【００５３】
（１−４）加湿ユニットの構成例
図４は、第１の実施の形態の加湿空調システム１Ａにおける加湿ユニットの第１の例を示す構成図であり、次に、加湿空調システム１Ａを構成する加湿ユニット４Ａ−１の構成について説明する。
【００５４】
加湿ユニット４Ａ−１は加湿装置の一例で、超音波振動子を利用した形態の加湿装置であり、微細化した水滴Ｍを発生させて霧状の加湿空気ＷＡを生成する加湿部４０Ａと、ファンユニット２Ａから供給された空気を浴室１０１に吹き出すか、排気するかを切り換える風路切換部４１とを備える。
【００５５】
加湿部４０Ａは加湿手段の一例で、水Ｗを貯める水槽４２Ａと、水槽４２Ａに貯水された水Ｗを振動させて微細化した水滴Ｍを発生させる超音波振動子４３Ａと、微細化されて拡散された水滴Ｍに空気を混合させて加湿し、加湿空気ＷＡを生成する加湿風路４４を備える。また、加湿部４０Ａは、水槽４２Ａに給水を行う給水機構４２ｓと、水槽４２Ａの排水を行う排水機構４２ｅと、水槽４２Ａ内の水位を検出する水位センサ４２ｗを備える。
【００５６】
水槽４２Ａは、上面が開口して加湿風路４４に露出すると共に、底面に超音波振動子４３Ａを備え、水槽４２Ａに貯水された水Ｗを超音波振動子４３Ａで振動させることで微細化した水滴Ｍを発生させ、水槽４２Ａの上部の加湿風路４４へと拡散させる。
【００５７】
給水機構４２ｓは、図示しない上水管と接続され、例えば水槽４２Ａの上部に給水口４２ｓｗを備えると共に、給水ＳＷの有無を切り換える給水バルブ４２ｓｂを備える。
【００５８】
また、排水機構４２ｅは、浴室１０１の図示しない排水管と接続され、水槽４２Ａの底面に排水口４２ｅｗを備えると共に、排水ＥＷの有無を切り換える排水バルブ４２ｅｂを備える。
【００５９】
水位センサ４２ｗは、水槽４２Ａ内にフロートを備え、フロートの位置で水位を検出する。
【００６０】
風路切換部４１は風路切換手段の一例で、風路を切り換えるダンパ４１ａを備える。ダンパ４１ａは、図示しないダンパモータに駆動され、軸４１ｂを支点に回転して加湿風路４４の開閉動作を行う。
【００６１】
加湿ユニット４Ａ−１は、下面に吹出グリル４７を備える。吹出グリル４７は加湿空気吹出口の一例で、所定の形状のパネル部に、ダンパ４１ａで循環側に風路が切り替えられた加湿風路４４とつながる吹出口４７ａを備えて構成される。
【００６２】
また、加湿ユニット４Ａ−１は、加湿風路４４とつながる吸込口４６ａを一の側面に備える。吸込口４６ａは空気吸込口の一例で、加湿ユニット４Ａ−１は、吸込口４６ａに吸込ダクトジョイント４６ｂを備える。更に、加湿ユニット４Ａ−１は、ダンパ４１ａで排気側に風路が切り替えられた加湿風路４４とつながる排気口４６ｃを他の側面に備えると共に、排気口４６ｃに排気ダクトジョイント４６ｄを備える。
【００６３】
加湿ユニット４Ａ−１は、ダンパ４１ａを実線で示す循環位置とすると、吸込口４６ａから供給された空気が、加湿風路４４によって水槽４２Ａの上部を通り、吹出グリル４７から吹き出される。また、ダンパ４１ａを一点鎖線で示す換気位置とすると、吸込口４６ａから供給された空気が、排気口４６ｃから排気される。
【００６４】
図５は、第１の実施の形態の加湿空調システム１Ａにおける加湿ユニットの第２の例を示す構成図であり、次に、加湿空調システム１Ａを構成する加湿ユニット４Ａ−２の構成について説明する。
【００６５】
加湿ユニット４Ａ−２は加湿装置の一例で、ヒータを利用した形態の加湿装置であり、水蒸気ＷＶを発生させて霧状の加湿空気ＷＡを生成する加湿部４０Ｂと、ファンユニット２Ａから供給された空気を浴室１０１に吹き出すか、排気するかを切り換える風路切換部４１とを備える。
【００６６】
加湿部４０Ｂは加湿手段の一例で、水Ｗを貯める水槽４２Ｂと、水槽４２Ｂに貯水された水Ｗを加熱して水蒸気ＷＶを発生させる水加熱手段としてのヒータ４３Ｂと、空気を水蒸気ＷＶで加湿して加湿空気ＷＡを生成する加湿風路４４を備える。また、加湿部４０Ｂは、水槽４２Ｂに給水を行う給水機構４２ｓと、水槽４２Ｂの排水を行う排水機構４２ｅと、水槽４２Ｂ内の水位を検出する水位センサ４２ｗを備える。
【００６７】
水槽４２Ｂは、上面が開口して加湿風路４４に露出すると共に、内部にヒータ４３Ｂを備え、水槽４２Ｂに貯水された水Ｗをヒータ４３Ｂで加熱することで水蒸気ＷＶを発生させ、水槽４２Ｂの上部の加湿風路４４へと拡散させる。
【００６８】
給水機構４２ｓは、図示しない上水管と接続され、例えば水槽４２Ｂの上部に給水口４２ｓｗを備えると共に、給水ＳＷの有無を切り換える給水バルブ４２ｓｂを備える。
【００６９】
また、排水機構４２ｅは、浴室１０１の図示しない排水管と接続され、水槽４２Ｂの底面に排水口４２ｅｗを備えると共に、排水ＥＷの有無を切り換える排水バルブ４２ｅｂを備える。
【００７０】
水位センサ４２ｗは、水槽４２Ｂ内にフロートを備え、フロートの位置で水位を検出する。
【００７１】
風路切換部４１は風路切換手段の一例で、風路を切り換えるダンパ４１ａを備える。ダンパ４１ａは、図示しないダンパモータに駆動され、軸４１ｂを支点に回転して加湿風路４４の開閉動作を行う。
【００７２】
加湿ユニット４Ａ−２は、下面に吹出グリル４７を備える。吹出グリル４７は加湿空気吹出口の一例で、所定の形状のパネル部に、ダンパ４１ａで循環側に風路が切り替えられた加湿風路４４とつながる吹出口４７ａを備えて構成される。
【００７３】
また、加湿ユニット４Ａ−２は、加湿風路４４とつながる吸込口４６ａを一の側面に備える。吸込口４６ａは空気吸込口の一例で、加湿ユニット４Ａ−２は、吸込口４６ａに吸込ダクトジョイント４６ｂを備える。更に、加湿ユニット４Ａ−２は、ダンパ４１ａで排気側に風路が切り替えられた加湿風路４４とつながる排気口４６ｃを他の側面に備えると共に、排気口４６ｃに排気ダクトジョイント４６ｄを備える。
【００７４】
加湿ユニット４Ａ−２は、ダンパ４１ａを実線で示す循環位置とすると、吸込口４６ａから供給された空気が、加湿風路４４によって水槽４２Ｂの上部を通り、吹出グリル４７から吹き出される。また、ダンパ４１ａを一点鎖線で示す換気位置とすると、吸込口４６ａから供給された空気が、排気口４６ｃから排気される。
【００７５】
（１−５）吸込口ユニットの構成例
図６は、第１の実施の形態の加湿空調システム１Ａにおける吸込口ユニットの一例を示す構成図であり、次に、加湿空調システム１Ａを構成する吸込口ユニット５Ａの構成について説明する。
【００７６】
吸込口ユニット５Ａは、空気が吸い込まれる吸込グリル５０と、吸込グリル５０が取り付けられるチャンバーケース５１を備える。
【００７７】
吸込グリル５０は室内吸込口の一例で、所定の形状のパネル部に空気の吸込口５０ａを備えて構成される。チャンバーケース５１は、吸込グリル５０の吸込口５０ａと連通して一の側面に排出口５２を備える。排出口５２は空気排出口の一例で、吸込口ユニット５Ａは、排出口５２に排出ダクトジョイント５２ａを備える。
【００７８】
＜第１の実施の形態の加湿空調システムの設置例＞
図７は、第１の実施の形態の加湿空調システムの設置例を示す構成図で、図７（ａ）は、浴室１０１の天井パネル１０１ａを下面から見た平面図、図７（ｂ）は、浴室１０１の天井パネル１０１ａを上面から見た平面図である。
【００７９】
浴室１０１の天井パネル１０１ａには、ヒータユニット３Ａと加湿ユニット４Ａと吸込口ユニット５Ａの設置位置に枠部１０２が取り付けられる。
【００８０】
ヒータユニット３Ａは、枠部１０２に形成された開口の位置に合わせて、天井パネル１０１ａ上に固定する形態、もしくはアンカーボルト等を使用して天井裏に吊り下げる形態等で設置され、吹出グリル３６が枠部１０２に嵌め込まれて取り付けられる。
【００８１】
また、加湿ユニット４Ａは、枠部１０２に形成された開口の位置に合わせて、天井パネル１０１ａ上に固定する形態、もしくはアンカーボルト等を使用して天井裏に吊り下げる形態等で設置され、吹出グリル４７が枠部１０２に嵌め込まれて取り付けられる。
【００８２】
更に、吸込口ユニット５Ａは、枠部１０２に形成された開口の位置に合わせて、天井パネル１０１ａ上に固定する形態、もしくはアンカーボルト等を使用して天井裏に吊り下げる形態等で設置され、吸込グリル５０が枠部１０２に嵌め込まれて取り付けられる。
【００８３】
ここで、ヒータユニット３Ａの吹出グリル３６と、加湿ユニット４Ａの吹出グリル４７と、吸込口ユニット５Ａの吸込グリル５０は、短手方向の幅が等しい長方形状とし、枠部１０２によって、一列に並べて配置される。
【００８４】
また、枠部１０２は、各吹出グリル及び吸込グリルが天井パネル１０１ａに対して略同一面となるように構成されると共に、枠部１０２において、各吹出グリル及び吸込グリルが設置されない箇所については、カバー部材１０２ａが取り付けられて、カバー部材１０２ａが天井パネル１０１ａに対して略同一面となるように構成される。
【００８５】
これにより、天井パネル１０１ａにおいて、各吹出グリル及び吸込グリルの設置位置は、略フラットな形態となっている。
【００８６】
ファンユニット２Ａは、天井パネル１０１ａ上に固定する形態、もしくはアンカーボルト等を使用して天井裏に吊り下げる形態等で設置される。ファンユニット２Ａは、浴室１０１から直接空気を吸い込む吸込グリルや、浴室１０１に直接空気を吹き出す吹出グリルを備えていないので、天井パネル１０１ａにおいて、ファンユニット２Ａの設置位置には、開口を形成する必要はない。このため、浴室１０１の天井パネル１０１ａには、ファンユニット２Ａは露出しない。
【００８７】
浴室１０１の天井パネル１０１ａに設置されたファンユニット２Ａと吸込口ユニット５Ａは、ファンユニット２Ａの吸込ダクトジョイント２４ａと吸込口ユニット５Ａの排出ダクトジョイント５２ａがダクト６ａで接続される。
【００８８】
また、浴室１０１の天井パネル１０１ａに設置されたファンユニット２Ａとヒータユニット３Ａは、ファンユニット２Ａの吹出ダクトジョイント２５ａとヒータユニット３Ａの吸込ダクトジョイント３３ａがダクト６ｂで接続される。
【００８９】
更に、浴室１０１の天井パネル１０１ａに設置されたヒータユニット３Ａと加湿ユニット４Ａは、ヒータユニット３Ａの排出ダクトジョイント３５ａと加湿ユニット４Ａの吸込ダクトジョイント４６ｂがダクト６ｃで接続される。
【００９０】
また、浴室１０１の天井パネル１０１ａに設置された加湿ユニット４Ａは、排気ダクトジョイント４６ｄに排気ダクト６ｄが接続される。排気ダクト６ｄは、図示しない建物の外壁に取り付けた屋外グリルに接続され、ファンユニット２Ａで吸込口ユニット５Ａから吸い込んだ浴室１０１等の空気を、ヒータユニット３Ａ及び加湿ユニット４Ａを経由して、排気ダクト６ｄから屋外に排気できる構成となっている。
【００９１】
更に、浴室１０１の天井パネル１０１ａに設置された加湿ユニット４Ａは、図示しない上水管とつながる供給配管１０３ａが、図４または図５で説明した給水機構４２ｓと接続され、浴室１０１の排水口からの図示しない排水管とつながる排水配管１０３ｂが、排水機構４２ｅと接続される。
【００９２】
なお、浴室１０１に隣接した図示しない洗面脱衣所には、加湿空調システム１Ａを制御する図示しない主操作部が設置される。また、加湿空調システム１Ａを浴室１０１内でも操作できるように、浴室１０１に副操作部を設置しても良い。
【００９３】
＜第１の実施の形態の加湿空調システムの動作例＞
（１−１）加湿暖房運転モードの動作例
次に、第１の実施の形態の加湿空調システム１Ａで実行される加湿暖房運転モードの一例について、各図を参照して説明する。ここで、加湿ユニット４Ａとしては、超音波振動子を利用した形態の加湿ユニット４Ａ−１を備えた例で説明する。
【００９４】
図示しない主操作部が操作され、加湿暖房運転モードが選択されると、ファンユニット２Ａでは、ファン部２０を駆動する。また、ヒータユニット３Ａでは、ダンパ３２を分流位置にすると共に、ヒータ３１に通電する。更に、加湿ユニット４Ａ−１では、ダンパ４１ａを循環位置にすると共に、超音波振動子４３Ａを駆動する。
【００９５】
ファンユニット２Ａは、ファンモータ２１ａによりファン２１が回転駆動されると、ファン吸込口２２ａから空気を吸い込む流れが発生する。これにより、ファン吸込口２２ａと連通した吸込口２４とダクト６ａを介して接続されている吸込口ユニット５Ａでは、吸込グリル５０の吸込口５０ａから浴室１０１の空気ＲＡが吸い込まれる。
【００９６】
吸込口ユニット５Ａからダクト６ａを通ってファンユニット２Ａに吸い込まれた浴室１０１の空気ＲＡは、吹出口２５から吹き出され、吹出口２５に接続されたダクト６ｂを通りヒータユニット３Ａへ供給される。
【００９７】
ヒータユニット３Ａは、ダンパ３２の位置が図３（ｃ）に示す分流位置にあると、ダクト６ｂと接続された吸込口３３から吹出口風路３４への循環風路３０ａと、吸込口３３から排出口３５への換気風路３０ｂの双方が形成されるので、ファンユニット２Ａから供給された空気は、一部は循環風路３０ａを通って吹出グリル３６の吹出口３６ａから浴室１０１内に吹き出される。
【００９８】
ヒータ３１は、循環風路３０ａの吹出口風路３４に配置されるので、ヒータ３１が通電されることで、循環風路３０ａを通る空気が温められて、温風ＨＡが吹出グリル３６から吹き出される。
【００９９】
また、ファンユニット２Ａから供給された空気の残部は、換気風路３０ｂを通って排出口３５から排出され、ヒータユニット３Ａの排出口３５から排出された空気は、排出口３５に接続されたダクト６ｃを通り加湿ユニット４Ａ−１へ供給される。
【０１００】
加湿ユニット４Ａ−１は、ダンパ４１ａが図４に実線で示す循環位置にあると、ダクト６ｃと接続された吸込口４６ａから供給された空気が、加湿風路４４によって水槽４２Ａの上部を通り、吹出グリル４７の吹出口４７ａから吹き出される。
【０１０１】
加湿ユニット４Ａ−１では、超音波振動子４３Ａを駆動することで、水槽４２Ａに貯水された水Ｗが振動して微細化された水滴Ｍが、水槽４２Ａの上部の加湿風路４４へと拡散する。
【０１０２】
そして、ヒータユニット３Ａを経由して供給された空気と混合して加湿空気ＷＡが生成され、吹出グリル４７から吹き出される。
【０１０３】
これにより、加湿暖房運転モードでは、ファンユニット２Ａによって浴室１０１内の空気を循環させながら、ヒータユニット３Ａから温風ＨＡが吹き出されると共に、加湿ユニット４Ａ−１から加湿空気ＷＡが吹き出されて、浴室１０１が加湿暖房される。
【０１０４】
このように、温風ＨＡと加湿空気ＷＡの双方で浴室１０１を暖房することで、温水によるミストの噴霧のみで浴室１０１を暖房する場合と比較して、短時間で浴室１０１の温度を上げることができる。
【０１０５】
なお、本実施の形態の加湿空調システム１Ａでは、加湿ユニット４Ａ−１の水位センサ４２ｗの出力を監視し、水槽４２Ａ内の水が無くならないように、給水機構４２ｓで給水が行われる。
【０１０６】
すなわち、水位センサ４２ｗの出力から、水槽４２Ａ内の水位が所定量まで下がったことを検知すると、図示しない制御手段は給水バルブ４２ｓｂを開き、給水口４２ｓｗから上水を水槽４２Ａに補給する。そして、水位センサ４２ｗの出力から、水槽４２Ａ内の水位が所定量まで上がったことを検知すると、給水バルブ４２ｓｂを閉じる。
【０１０７】
なお、運転停止中のメンテナンス等で、水槽４２Ａ内の水を抜く必要がある場合は、排水バルブ４２ｅｂを開き、排水口４２ｅｗから水槽４２Ａ内の水を排水する。
【０１０８】
次に、加湿ユニット４Ａとして、ヒータを利用した形態の加湿ユニット４Ａ−２を備えた第１の実施の形態の加湿空調システム１Ａで実行される加湿暖房運転モードの一例について、各図を参照して説明する。
【０１０９】
図示しない主操作部が操作され、加湿暖房運転モードが選択されると、ファンユニット２Ａでは、ファン部２０を駆動する。また、ヒータユニット３Ａでは、ダンパ３２を分流位置にすると共に、ヒータ３１に通電する。更に、加湿ユニット４Ａ−２では、ダンパ４１ａを循環位置にすると共に、ヒータ４３Ｂを駆動する。
【０１１０】
ファンユニット２Ａは、ファンモータ２１ａによりファン２１が回転駆動されると、ファン吸込口２２ａから空気を吸い込む流れが発生する。これにより、ファン吸込口２２ａと連通した吸込口２４とダクト６ａを介して接続されている吸込口ユニット５Ａでは、吸込グリル５０の吸込口５０ａから浴室１０１の空気ＲＡが吸い込まれる。
【０１１１】
吸込口ユニット５Ａからダクト６ａを通ってファンユニット２Ａに吸い込まれた浴室１０１の空気ＲＡは、吹出口２５から吹き出され、吹出口２５に接続されたダクト６ｂを通りヒータユニット３Ａへ供給される。
【０１１２】
ヒータユニット３Ａは、ダンパ３２の位置が図３（ｃ）に示す分流位置にあると、ダクト６ｂと接続された吸込口３３から吹出口風路３４への循環風路３０ａと、吸込口３３から排出口３５への換気風路３０ｂの双方が形成されるので、ファンユニット２Ａから供給された空気は、一部は循環風路３０ａを通って吹出グリル３６の吹出口３６ａから浴室１０１内に吹き出される。
【０１１３】
ヒータ３１は、循環風路３０ａの吹出口風路３４に配置されるので、ヒータ３１が通電されることで、循環風路３０ａを通る空気が温められて、温風ＨＡが吹出グリル３６から吹き出される。
【０１１４】
また、ファンユニット２Ａから供給された空気の残部は、換気風路３０ｂを通って排出口３５から排出され、ヒータユニット３Ａの排出口３５から排出された空気は、排出口３５に接続されたダクト６ｃを通り加湿ユニット４Ａ−２へ供給される。
【０１１５】
加湿ユニット４Ａ−２は、ダンパ４１ａが図５に実線で示す循環位置にあると、ダクト６ｃと接続された吸込口４６ａから供給された空気が、加湿風路４４によって水槽４２Ａの上部を通り、吹出グリル４７の吹出口４７ａから吹き出される。
【０１１６】
加湿ユニット４Ａ−２では、ヒータ４３Ｂを駆動することで、水槽４２Ｂに貯水された水Ｗが加熱されて水蒸気ＷＶが発生し、水槽４２Ｂの上部の加湿風路４４へと拡散する。
【０１１７】
そして、ヒータユニット３Ａを経由して供給された空気と混合して加湿空気ＷＡが生成され、吹出グリル４７から吹き出される。
【０１１８】
これにより、ヒータを利用した形態の加湿ユニット４Ａ−２を備えた加湿空調システム１Ａにおける加湿暖房運転モードでも、ファンユニット２Ａによって浴室１０１内の空気を循環させながら、ヒータユニット３Ａから温風ＨＡが吹き出されると共に、加湿ユニット４Ａ−２から加湿空気ＷＡが吹き出されて、浴室１０１が加湿暖房される。
【０１１９】
このように、温風ＨＡと加湿空気ＷＡの双方で浴室１０１を暖房することで、温水によるミストの噴霧のみで浴室１０１を暖房する場合と比較して、短時間で浴室１０１の温度を上げることができる。
【０１２０】
なお、ヒータを利用した形態の加湿ユニット４Ａ−２を備えた加湿空調システム１Ａでも、加湿ユニット４Ａ−２の水位センサ４２ｗの出力を監視し、水槽４２Ｂ内の水が無くならないように、給水機構４２ｓで給水が行われる。
【０１２１】
すなわち、水位センサ４２ｗの出力から、水槽４２Ｂ内の水位が所定量まで下がったことを検知すると、図示しない制御手段は給水バルブ４２ｓｂを開き、給水口４２ｓｗから上水を水槽４２Ｂに補給する。そして、水位センサ４２ｗの出力から、水槽４２Ｂ内の水位が所定量まで上がったことを検知すると、給水バルブ４２ｓｂを閉じる。
【０１２２】
なお、運転停止中のメンテナンス等で、水槽４２Ｂ内の水を抜く必要がある場合は、排水バルブ４２ｅｂを開き、排水口４２ｅｗから水槽４２ｂ内の水を排水する。
【０１２３】
ここで、超音波振動子を利用した形態の加湿ユニット４Ａ−１またはヒータを利用した形態の加湿ユニット４Ａ−２を備えた加湿空調システム１Ａにおける上述した加湿暖房運転モードの動作例では、ヒータユニット３Ａによる温風の吹き出しと、加湿ユニット４Ａによる加湿空気の吹き出しを同時に開始して、加湿暖房運転モードが実行されると、温風ＨＡと加湿空気ＷＡが同時に吹き出されるようにした。
【０１２４】
これに対して、ヒータユニット３Ａのダンパ３２を循環位置として、ファンユニット２Ａとヒータユニット３Ａによる温風ＨＡの吹き出しを開始した後、図示しない温度検出センサで浴室１０１の温度を検出し、加湿空気の吹き出しに適した温度になると、ヒータユニット３Ａのダンパ３２を分流位置とすると共に、加湿ユニット４Ａによる加湿空気の生成を開始して、加湿空気ＷＡが吹き出されるようにしても良い。
【０１２５】
また、ヒータを利用した形態の加湿ユニット４Ａ−２を備えた加湿空調システム１Ａでは、ファンユニット２Ａとヒータユニット３Ａによる温風ＨＡの吹き出しを開始した後、図示しない温度検出センサで浴室１０１の温度を検出し、加湿空気の吹き出しに適した温度になると、ヒータユニット３Ａにおいてヒータ３１の駆動は停止し、ダンパ３２を換気位置として温風の吹き出しを中断すると共に、加湿ユニット４Ａ−２による加湿空気の生成を開始して、加湿空気ＷＡが吹き出されるようにしても良い。
【０１２６】
このように、加湿ユニット４Ａ−２のヒータ４３Ｂが駆動されている間は、ヒータユニット３Ａのヒータ３１の駆動を停止することで、消費電力を抑えることができる。
【０１２７】
（１−２）他の運転モードの動作例
次に、加湿空調システム１Ａによる他の運転モードの動作について説明する。ファンユニット２Ａではファン部２０を駆動し、ヒータユニット３Ａではダンパ３２を循環位置にすると共に、ヒータ３１に通電すると、ダクト６ａを通って吸込口ユニット５Ａからファンユニット２Ａに浴室１０１の空気ＲＡが吸い込まれ、ファンユニット２Ａに吸い込まれた空気は、ダクト６ｂを通りヒータユニット３Ａへ供給される。
【０１２８】
ヒータユニット３Ａは、ダンパ３２の位置が図３（ａ）に示す循環位置にあると、ダクト６ｂと接続された吸込口３３から吹出口風路３４への循環風路３０ａが形成されるので、ファンユニット２Ａから供給された空気は、循環風路３０ａを通って吹出グリル３６から浴室１０１内に吹き出される。そして、ヒータ３１が通電されることで、循環風路３０ａを通る空気が温められて、温風ＨＡが吹出グリル３６から吹き出される。
【０１２９】
これにより、ヒータユニット３Ａのダンパ３２を循環位置としてヒータ３１に通電し、ファンユニット２Ａのファン部２０を駆動すると、浴室１０１内の空気を循環させながら、浴室１０１内に温風が吹き出されて、浴室１０１が暖房される。
【０１３０】
ファンユニット２Ａではファン部２０を駆動し、ヒータユニット３Ａではダンパ３２を換気位置にすると共に、加湿ユニット４Ａでは超音波振動子４３Ａまたはヒータ４３Ｂを駆動せずにダンパ４１ａを換気位置にすると、ダクト６ａを通って吸込口ユニット５Ａからファンユニット２Ａに浴室１０１の空気ＲＡが吸い込まれ、ファンユニット２Ａに吸い込まれた空気は、ダクト６ｂを通りヒータユニット３Ａへ供給される。
【０１３１】
ヒータユニット３Ａは、ダンパ３２の位置が図３（ｂ）に示す換気位置にあると、ダクト６ｂと接続された吸込口３３から排出口３５への換気風路３０ｂが形成されるので、ファンユニット２Ａから供給された空気は、換気風路３０ｂを通って排出口３５から排出され、ヒータユニット３Ａの排出口３５から排出された空気は、排出口３５に接続されたダクト６ｃを通り加湿ユニット４Ａへ供給される。
【０１３２】
加湿ユニット４Ａでは、超音波振動子４３Ａまたはヒータ４３Ｂを駆動せず、ダンパ４１ａを図４または図５に一点鎖線で示す換気位置とすることで、ヒータユニット３Ａを経由して供給された空気が、加湿されることなく加湿風路４４を通り、排気口４６ｃから排気される。
【０１３３】
これにより、ヒータユニット３Ａのダンパ３２を換気位置にすると共に、加湿ユニット４Ａの超音波振動子４３Ａまたはヒータ４３Ｂを駆動せずにダンパ４１ａを換気位置にして、ファンユニット２Ａのファン部２０を駆動すると、浴室１０１内の湯気や湿気が排気されて、浴室５１が換気される。
【０１３４】
ファンユニット２Ａではファン部２０を駆動し、ヒータユニット３Ａではダンパ３２を分流位置にすると共に、加湿ユニット４Ａでは超音波振動子４３Ａまたはヒータ４３Ｂを駆動せずにダンパ４１ａを換気位置にすると、ダクト６ａを通って吸込口ユニット５Ａからファンユニット２Ａに浴室１０１の空気ＲＡが吸い込まれ、ファンユニット２Ａに吸い込まれた空気は、ダクト６ｂを通りヒータユニット３Ａへ供給される。
【０１３５】
ヒータユニット３Ａは、ダンパ３２の位置が図３（ｃ）に示す分流位置にあると、ダクト６ｂと接続された吸込口３３から吹出口風路３４への循環風路３０ａと、吸込口３３から排出口３５への換気風路３０ｂの双方が形成されるので、ファンユニット２Ａから供給された空気は、一部は循環風路３０ａを通って吹出グリル３６から浴室１０１内に吹き出される。
【０１３６】
また、ファンユニット２Ａから供給された空気の残部は、換気風路３０ｂを通って排出口３５から排出され、ヒータユニット３Ａの排出口３５から排出された空気は、排出口３５に接続されたダクト６ｃを通り加湿ユニット４Ａへ供給される。
【０１３７】
加湿ユニット４Ａでは、超音波振動子４３Ａまたはヒータ４３Ｂを駆動せず、ダンパ４１ａを図４または図５に一点鎖線で示す換気位置とすることで、ヒータユニット３Ａを経由して供給された空気が、加湿されることなく加湿風路４４を通り、排気口４６ｃから排気される。
【０１３８】
これにより、ヒータユニット３Ａのダンパ３２を分流位置にすると共に、加湿ユニット４Ａの超音波振動子４３Ａまたはヒータ４３Ｂを駆動せずにダンパ４１ａを換気位置にして、ファンユニット２Ａのファン部２０を駆動すると、ヒータ３１に通電した場合は、浴室１０１内の空気を循環させて浴室１０１内に温風を吹き出しながら、浴室１０１内の湯気や湿気が排気されて、浴室１０１や洗濯物等が乾燥される。なお、ヒータ３１が非通電の場合は、浴室１０１内に室温に応じた涼風を吹き出して空気を循環させながら、浴室１０１内の湯気や湿気が排気される。
【０１３９】
＜第１の実施の形態の加湿空調システムの作用効果例＞
第１の実施の形態の加湿空調システム１Ａでは、空気を吸い込み、吸い込んだ空気を吹き出すファンユニット２Ａに対して、空気を加熱するヒータユニット３Ａがダクト６ｂを介して接続され、ヒータユニット３Ａに、温風ＨＡまたは送風が吹き出される吹出グリル３６が備えられる。
【０１４０】
また、空気を加湿する加湿ユニット４Ａがダクト６ｃを介して接続され、加湿ユニット４Ａに、加湿空気ＷＡが吹き出される吹出グリル４７が備えられる。
【０１４１】
更に、空気が吸い込まれる吸込グリル５０を備えた吸込口ユニット５Ａが、ダクト６ａを介してファンユニット２Ａに接続される。
【０１４２】
これにより、浴室１０１の天井パネル１０１ａには、ファンユニット２Ａは露出せず、２個の吹出グリル３６及び吹出グリル４７と、１個の吸込グリル５０が露出する形態となる。
【０１４３】
これにより、加湿空調システム１Ａにおいて、浴室１０１の天井パネル１０１ａに露出する部分の面積を小さくすることができるので、加湿暖房機能を有した空調システムを、浴室１０１の外観性を損なうことなく設置することができる。
【０１４４】
また、ファンユニット２Ａに対して、ヒータユニット３Ａと加湿ユニット４Ａと吸込口ユニット５Ａを独立した構成としたので、各吹出グリルと吸込グリルの設置位置の自由度が向上し、例えば、各吹出グリルと吸込グリルを同じ幅として一列に並べて配置すれば、視覚的に目立たなくすることができる。
【０１４５】
更に、各吹出グリルと吸込グリルを天井パネル１０１ａから突出せずに略同一面に配置することによっても、視覚的に一層目立たなくすることができる。
【０１４６】
また、加湿ユニット４Ａは、加湿空気の送風に、ファンユニット２Ａから吹き出される空気の流れを利用することで、加湿ユニット４Ａには送風のためのファン部を非搭載にできる。
【０１４７】
これにより、加湿ユニット４Ａは、ファンとファンモータを省略することにより低コスト化が可能であると共に、部品点数を少なくできることから、小型化が可能である。また、加湿ユニット４Ａは空気を吸い込む吸込グリルが不要なので、浴室１０１に露出する部分の小型化が可能で、見栄えが良くなる。
【０１４８】
更に、加湿空調システム１Ａでは、加湿手段として超音波振動子４３Ａを備えた加湿ユニット４Ａ−１、または、加湿手段としてヒータ４３Ｂを備えた加湿ユニット４Ａ−２を使用することで、微細化されて拡散された水滴Ｍ、または水蒸気ＷＶにより空気が加湿され、霧状の加湿空気ＷＡが浴室１０１に吹き出されるので、水滴が直接噴き出されるノズル式のミスト噴霧発生装置と比較して、入浴者が直接水滴を浴びることがなく、加湿暖房に伴う発汗効果を実感できる。
【０１４９】
また、加湿空調システム１Ａでは、風路の切換によって、加湿暖房以外の通常の暖房や、換気、乾燥等の運転が可能で、一般的な浴室暖房換気乾燥機として使用することもできる。
【０１５０】
＜第２の実施の形態の加湿空調システムの構成例＞
（２−１）第２の実施の形態の加湿空調システムの全体構成の概要
図８は、第２の実施の形態の加湿空調システムの一例を示す構成図である。ここで、図８では、第２の実施の形態の加湿空調システム１Ｂの各部の構成及び配置は模式的に図示している。
【０１５１】
第２の実施の形態の加湿空調システム１Ｂは、空気を吸い込み、吸い込んだ空気を吹き出すファンユニット２Ａを備える。また、加湿空調システム１Ｂは、ファンユニット２Ａから吹き出された空気を加湿して、加湿空気ＷＡを生成する加湿ユニット４Ｂと、ファンユニット２Ａから吹き出された空気、またはファンユニット２Ａから吹き出され、加湿ユニット４Ｂで加湿された空気を加熱して、温風ＨＡまたは温湿風ＨＷＡを浴室１０１に吹き出すヒータユニット３Ａを備える。更に、加湿空調システム１Ｂは、ファンユニット２Ａで空気が吸い込まれる吸込口ユニット５Ａを備える。
【０１５２】
ファンユニット２Ａは、吸込口ユニット５Ａがダクト６ａを介して接続され、吸込口ユニット５Ａから浴室１０１の空気ＲＡが吸い込まれる。
【０１５３】
また、ファンユニット２Ａは、加湿ユニット４Ｂがダクト６ｂを介して接続され、ファンユニット２Ａで吹き出す空気が加湿ユニット４Ｂに送られて、加湿ユニット４Ｂから加湿空気ＷＡが吹き出される。
【０１５４】
更に、加湿ユニット４Ｂは、ヒータユニット３Ａがダクト６ｃを介して接続され、ファンユニット２Ａで吹き出し、加湿ユニット４Ｂを通過した空気がヒータユニット３Ａに送られて、ヒータユニット３Ａから温湿風ＨＷＡまたは温風ＨＡが吹き出される。
【０１５５】
ここで、ファンユニット２Ａは、図２で説明した第１の実施の形態の加湿空調システム１Ａのファンユニット２Ａと同じ構成で良く、ヒータユニット３Ａは、図３で説明した第１の実施の形態の加湿空調システム１Ａのヒータユニット３Ａと同じ構成で良く、吸込口ユニット５Ａは、図６で説明した第１の実施の形態の加湿空調システム１Ａの吸込口ユニット５Ａと同じ構成で良い。
【０１５６】
（２−２）加湿ユニットの構成例
図９は、第２の実施の形態の加湿空調システム１Ｂにおける加湿ユニットの第１の例を示す構成図であり、次に、加湿空調システム１Ｂを構成する加湿ユニット４Ｂ−１の構成について説明する。
【０１５７】
加湿ユニット４Ｂ−１は加湿装置の一例で、超音波振動子を利用した形態の加湿装置であり、微細化した水滴Ｍを発生させて霧状の加湿空気ＷＡを生成する加湿部４０Ａを備える。
【０１５８】
加湿部４０Ａは加湿手段の一例で、水Ｗを貯める水槽４２Ａと、水槽４２Ａに貯水された水Ｗを振動させて微細化した水滴Ｍを発生させる超音波振動子４３Ａと、微細化されて拡散された水滴Ｍに空気を混合させて加湿し、加湿空気ＷＡを生成する加湿風路４４を備える。また、加湿部４０Ａは、水槽４２Ａに給水を行う給水機構４２ｓと、水槽４２Ａの排水を行う排水機構４２ｅと、水槽４２Ａ内の水位を検出する水位センサ４２ｗを備える。
【０１５９】
水槽４２Ａは、上面が開口して加湿風路４４に露出すると共に、底面に超音波振動子４３Ａを備え、水槽４２Ａに貯水された水Ｗを超音波振動子４３Ａで振動させることで微細化した水滴Ｍを発生させ、水槽４２Ａの上部の加湿風路４４へと拡散させる。
【０１６０】
給水機構４２ｓは、図示しない上水管と接続され、例えば水槽４２Ａの上部に給水口４２ｓｗを備えると共に、給水ＳＷの有無を切り換える給水バルブ４２ｓｂを備える。
【０１６１】
また、排水機構４２ｅは、浴室１０１の図示しない排水管と接続され、水槽４２Ａの底面に排水口４２ｅｗを備えると共に、排水ＥＷの有無を切り換える排水バルブ４２ｅｂを備える。
【０１６２】
水位センサ４２ｗは、水槽４２Ａ内にフロートを備え、フロートの位置で水位を検出する。
【０１６３】
加湿ユニット４Ｂ−１は、加湿風路４４とつながる吸込口４６ａを一の側面に備える。吸込口４６ａは空気吸込口の一例で、加湿ユニット４Ｂ−１は、吸込口４６ａに吸込ダクトジョイント４６ｂを備える。また、加湿ユニット４Ｂ−１は、加湿風路４４とつながる排気口４６ｃを他の側面に備える。排気口４６ｃは外部排出口の一例で、加湿ユニット４Ｂ−１は、排気口４６ｃに排気ダクトジョイント４６ｄを備える。
【０１６４】
図１０は、第２の実施の形態の加湿空調システム１Ｂにおける加湿ユニットの第２の例を示す構成図であり、次に、加湿空調システム１Ｂを構成する加湿ユニット４Ｂ−２の構成について説明する。
【０１６５】
加湿ユニット４Ｂ−２は加湿装置の一例で、ヒータを利用した形態の加湿装置であり、水蒸気ＷＶを発生させて霧状の加湿空気ＷＡを生成する加湿部４０Ｂを備える。
【０１６６】
加湿部４０Ｂは加湿手段の一例で、水Ｗを貯める水槽４２Ｂと、水槽４２Ｂに貯水された水Ｗを加熱して水蒸気ＷＶを発生させる水加熱手段としてのヒータ４３Ｂと、空気を水蒸気ＷＶで加湿して加湿空気ＷＡを生成する加湿風路４４を備える。また、加湿部４０Ｂは、水槽４２Ｂに給水を行う給水機構４２ｓと、水槽４２Ｂの排水を行う排水機構４２ｅと、水槽４２Ｂ内の水位を検出する水位センサ４２ｗを備える。
【０１６７】
水槽４２Ｂは、上面が開口して加湿風路４４に露出すると共に、内部にヒータ４３Ｂを備え、水槽４２Ｂに貯水された水Ｗをヒータ４３Ｂで加熱することで水蒸気ＷＶを発生させ、水槽４２Ｂの上部の加湿風路４４へと拡散させる。
【０１６８】
給水機構４２ｓは、図示しない上水管と接続され、例えば水槽４２Ｂの上部に給水口４２ｓｗを備えると共に、給水ＳＷの有無を切り換える給水バルブ４２ｓｂを備える。
【０１６９】
また、排水機構４２ｅは、浴室１０１の図示しない排水管と接続され、水槽４２Ｂの底面に排水口４２ｅｗを備えると共に、排水ＥＷの有無を切り換える排水バルブ４２ｅｂを備える。
【０１７０】
水位センサ４２ｗは、水槽４２Ｂ内にフロートを備え、フロートの位置で水位を検出する。
【０１７１】
加湿ユニット４Ｂ−２は、加湿風路４４とつながる吸込口４６ａを一の側面に備える。吸込口４６ａは空気吸込口の一例で、加湿ユニット４Ｂ−２は、吸込口４６ａに吸込ダクトジョイント４６ｂを備える。また、加湿ユニット４Ｂ−２は、加湿風路４４とつながる排気口４６ｃを他の側面に備える。排気口４６ｃは外部排出口の一例で、加湿ユニット４Ｂ−２は、排気口４６ｃに排気ダクトジョイント４６ｄを備える。
【０１７２】
＜第２の実施の形態の加湿空調システムの設置例＞
図１１は、第２の実施の形態の加湿空調システムの設置例を示す構成図で、図１１（ａ）は、浴室１０１の天井パネル１０１ａを下面から見た平面図、図１１（ｂ）は、浴室１０１の天井パネル１０１ａを上面から見た平面図である。
【０１７３】
浴室１０１の天井パネル１０１ａには、ヒータユニット３Ａと吸込口ユニット５Ａの設置位置に枠部１０２が取り付けられる。
【０１７４】
ヒータユニット３Ａは、枠部１０２に形成された開口の位置に合わせて、天井パネル１０１ａ上に固定する形態、もしくはアンカーボルト等を使用して天井裏に吊り下げる形態等で設置され、吹出グリル３６が枠部１０２に嵌め込まれて取り付けられる。
【０１７５】
また、吸込口ユニット５Ａは、枠部１０２に形成された開口の位置に合わせて、天井パネル１０１ａ上に固定する形態、もしくはアンカーボルト等を使用して天井裏に吊り下げる形態等で設置され、吸込グリル５０が枠部１０２に嵌め込まれて取り付けられる。
【０１７６】
ここで、ヒータユニット３Ａの吹出グリル３６と、吸込口ユニット５Ａの吸込グリル５０は、短手方向の幅が等しい長方形状とし、枠部１０２によって、一列に並べて配置される。
【０１７７】
また、枠部１０２は、各吹出グリル及び吸込グリルが天井パネル１０１ａに対して略同一面となるように構成されると共に、枠部１０２において、各吹出グリル及び吸込グリルが設置されない箇所については、カバー部材１０２ａが取り付けられて、カバー部材１０２ａが天井パネル１０１ａに対して略同一面となるように構成される。
【０１７８】
これにより、天井パネル１０１ａにおいて、各吹出グリル及び吸込グリルの設置位置は、略フラットな形態となっている。
【０１７９】
ファンユニット２Ａは、天井パネル１０１ａ上に固定する形態、もしくはアンカーボルト等を使用して天井裏に吊り下げる形態等で設置される。同様に、加湿ユニット４Ｂは、天井パネル１０１ａ上に固定する形態、もしくはアンカーボルト等を使用して天井裏に吊り下げる形態等で設置される。
【０１８０】
ファンユニット２Ａ及び加湿ユニット４Ｂは、浴室１０１から直接空気を吸い込む吸込グリルや、浴室１０１に直接空気を吹き出す吹出グリルを備えていないので、天井パネル１０１ａにおいて、ファンユニット２Ａ及び加湿ユニット４Ｂの設置位置には、開口を形成する必要はない。このため、浴室１０１の天井パネル１０１ａには、ファンユニット２Ａ及び加湿ユニット４Ｂは露出しない。
【０１８１】
浴室１０１の天井パネル１０１ａに設置されたファンユニット２Ａと吸込口ユニット５Ａは、ファンユニット２Ａの吸込ダクトジョイント２４ａと吸込口ユニット５Ａの排出ダクトジョイント５２ａがダクト６ａで接続される。
【０１８２】
また、浴室１０１の天井パネル１０１ａに設置されたファンユニット２Ａと加湿ユニット４Ｂは、ファンユニット２Ａの吹出ダクトジョイント２５ａと加湿ユニット４Ｂの吸込ダクトジョイント４６ｂがダクト６ｂで接続される。
【０１８３】
更に、浴室１０１の天井パネル１０１ａに設置された加湿ユニット４Ｂとヒータユニット３Ａは、加湿ユニット４Ｂの排気ダクトジョイント４６ｄとヒータユニット３Ａの吸込ダクトジョイント３３ａがダクト６ｃで接続される。
【０１８４】
また、浴室１０１の天井パネル１０１ａに設置された加湿ユニット４Ｂは、図示しない上水管とつながる供給配管１０３ａが、図９または図１０で説明した給水機構４２ｓと接続され、浴室１０１の排水口からの図示しない排水管とつながる排水配管１０３ｂが、排水機構４２ｅと接続される。
【０１８５】
更に、浴室１０１の天井パネル１０１ａに設置されたヒータユニット３Ａは、排出ダクトジョイント３５ａに排気ダクト６ｄが接続される。排気ダクト６ｄは、図示しない建物の外壁に取り付けた屋外グリルに接続され、ファンユニット２Ａで吸込口ユニット５Ａから吸い込んだ浴室１０１等の空気を、加湿ユニット４Ｂ及びヒータユニット３Ａを経由して、排気ダクト６ｄから屋外に排気できる構成となっている。
【０１８６】
なお、浴室１０１に隣接した図示しない洗面脱衣所には、加湿空調システム１Ｂを制御する図示しない主操作部が設置される。また、加湿空調システム１Ｂを浴室１０１内でも操作できるように、浴室１０１に副操作部を設置しても良い。
【０１８７】
＜第２の実施の形態の加湿空調システムの動作例＞
（２−１）加湿暖房運転モードの動作例
次に、第２の実施の形態の加湿空調システム１Ｂで実行される加湿暖房運転モードの一例について、各図を参照して説明する。ここで、加湿ユニット４Ｂとしては、超音波振動子を利用した形態の加湿ユニット４Ｂ−１を備えた例で説明する。
【０１８８】
図示しない主操作部が操作され、加湿暖房運転モードが選択されると、ファンユニット２Ａでは、ファン部２０を駆動する。また、加湿ユニット４Ｂ−１では、超音波振動子４３Ａを駆動する。更に、ヒータユニット３Ａでは、ダンパ３２を循環位置にすると共に、ヒータ３１に通電する。
【０１８９】
ファンユニット２Ａは、ファンモータ２１ａによりファン２１が回転駆動されると、ファン吸込口２２ａから空気を吸い込む流れが発生する。これにより、ファン吸込口２２ａと連通した吸込口２４とダクト６ａを介して接続されている吸込口ユニット５Ａでは、吸込グリル５０の吸込口５０ａから浴室１０１の空気ＲＡが吸い込まれる。
【０１９０】
吸込口ユニット５Ａからダクト６ａを通ってファンユニット２Ａに吸い込まれた浴室１０１の空気ＲＡは、吹出口２５から吹き出され、吹出口２５に接続されたダクト６ｂを通り加湿ユニット４Ｂ−１に供給される。
【０１９１】
加湿ユニット４Ｂ−１は、超音波振動子４３Ａを駆動することで、水槽４２Ａに貯水された水Ｗが振動して微細化された水滴Ｍが、水槽４２Ａの上部の加湿風路４４へと拡散する。
【０１９２】
そして、ファンユニット２Ａから供給された空気と混合して加湿空気ＷＡが生成され、排気口４６ｃから吹き出され、排気口４６ｃに接続されたダクト６ｃを通りヒータユニット３Ａへ供給される。
【０１９３】
ヒータユニット３Ａは、ダンパ３２の位置が図３（ａ）に示す循環位置にあると、ダクト６ｃと接続された吸込口３３から吹出口風路３４への循環風路３０ａが形成されるので、ファンユニット２Ａから加湿ユニット４Ｂ−１を経由して供給された加湿空気ＷＡは、循環風路３０ａを通って吹出グリル３６の吹出口３６ａから浴室１０１内に吹き出される。
【０１９４】
ヒータ３１は、循環風路３０ａの吹出口風路３４に配置されるので、ヒータ３１が通電されることで、循環風路３０ａを通る空気が温められて、温湿風ＨＷＡが吹出グリル３６から吹き出される。
【０１９５】
これにより、加湿暖房運転モードでは、ファンユニット２Ａによって浴室１０１内の空気を循環させながら、ヒータユニット３Ａから温湿風ＨＷＡが吹き出されて、浴室１０１が加湿暖房される。
【０１９６】
このように、温湿風ＨＷＡで浴室１０１を暖房することで、温水によるミストの噴霧のみで浴室１０１を暖房する場合と比較して、短時間で浴室１０１の温度を上げることができる。
【０１９７】
なお、本実施の形態の加湿空調システム１Ｂでは、加湿ユニット４Ｂ−１の水位センサ４２ｗの出力を監視し、水槽４２Ａ内の水が無くならないように、給水機構４２ｓで給水が行われる。
【０１９８】
すなわち、水位センサ４２ｗの出力から、水槽４２Ａ内の水位が所定量まで下がったことを検知すると、図示しない制御手段は給水バルブ４２ｓｂを開き、給水口４２ｓｗから上水を水槽４２Ａに補給する。そして、水位センサ４２ｗの出力から、水槽４２Ａ内の水位が所定量まで上がったことを検知すると、給水バルブ４２ｓｂを閉じる。
【０１９９】
なお、運転停止中のメンテナンス等で、水槽４２Ａ内の水を抜く必要がある場合は、排水バルブ４２ｅｂを開き、排水口４２ｅｗから水槽４２Ａ内の水を排水する。
【０２００】
次に、加湿ユニット４Ｂとして、ヒータを利用した形態の加湿ユニット４Ｂ−２を備えた第２の実施の形態の加湿空調システム１Ｂで実行される加湿暖房運転モードの一例について、各図を参照して説明する。
【０２０１】
図示しない主操作部が操作され、加湿暖房運転モードが選択されると、ファンユニット２Ａでは、ファン部２０を駆動する。また、加湿ユニット４Ｂ−２では、ヒータ４３Ｂを駆動する。更に、ヒータユニット３Ａでは、ダンパ３２を循環位置にすると共に、ヒータ３１に通電する。
【０２０２】
ファンユニット２Ａは、ファンモータ２１ａによりファン２１が回転駆動されると、ファン吸込口２２ａから空気を吸い込む流れが発生する。これにより、ファン吸込口２２ａと連通した吸込口２４とダクト６ａを介して接続されている吸込口ユニット５Ａでは、吸込グリル５０の吸込口５０ａから浴室１０１の空気ＲＡが吸い込まれる。
【０２０３】
吸込口ユニット５Ａからダクト６ａを通ってファンユニット２Ａに吸い込まれた浴室１０１の空気ＲＡは、吹出口２５から吹き出され、吹出口２５に接続されたダクト６ｂを通り加湿ユニット４Ｂ−２に供給される。
【０２０４】
加湿ユニット４Ｂ−２は、ヒータ４３Ｂを駆動することで、水槽４２Ｂに貯水された水Ｗが加熱されて水蒸気ＷＶが発生し、水槽４２Ｂの上部の加湿風路４４へと拡散する。
【０２０５】
そして、ファンユニット２Ａから供給された空気と混合して加湿空気ＷＡが生成され、排気口４６ｃから吹き出され、排気口４６ｃに接続されたダクト６ｃを通りヒータユニット３Ａへ供給される。
【０２０６】
ヒータユニット３Ａは、ダンパ３２の位置が図３（ａ）に示す循環位置にあると、ダクト６ｃと接続された吸込口３３から吹出口風路３４への循環風路３０ａが形成されるので、ファンユニット２Ａから加湿ユニット４Ｂ−２を経由して供給された加湿空気ＷＡは、循環風路３０ａを通って吹出グリル３６の吹出口３６ａから浴室１０１内に吹き出される。
【０２０７】
ヒータ３１は、循環風路３０ａの吹出口風路３４に配置されるので、ヒータ３１が通電されることで、循環風路３０ａを通る空気が温められて、温湿風ＨＷＡが吹出グリル３６から吹き出される。
【０２０８】
これにより、ヒータを利用した形態の加湿ユニット４Ｂ−２を備えた加湿空調システム１Ｂにおける加湿暖房運転モードでも、ファンユニット２Ａによって浴室１０１内の空気を循環させながら、ヒータユニット３Ａから温湿風ＨＷＡが吹き出されて、浴室１０１が加湿暖房される。
【０２０９】
このように、温湿風ＨＷＡで浴室１０１を暖房することで、温水によるミストの噴霧のみで浴室１０１を暖房する場合と比較して、短時間で浴室１０１の温度を上げることができる。
【０２１０】
なお、ヒータを利用した形態の加湿ユニット４Ｂ−２を備えた加湿空調システム１Ｂでも、加湿ユニット４Ｂ−２の水位センサ４２ｗの出力を監視し、水槽４２Ｂ内の水が無くならないように、給水機構４２ｓで給水が行われる。
【０２１１】
すなわち、水位センサ４２ｗの出力から、水槽４２Ｂ内の水位が所定量まで下がったことを検知すると、図示しない制御手段は給水バルブ４２ｓｂを開き、給水口４２ｓｗから上水を水槽４２Ｂに補給する。そして、水位センサ４２ｗの出力から、水槽４２Ｂ内の水位が所定量まで上がったことを検知すると、給水バルブ４２ｓｂを閉じる。
【０２１２】
なお、運転停止中のメンテナンス等で、水槽４２Ｂ内の水を抜く必要がある場合は、排水バルブ４２ｅｂを開き、排水口４２ｅｗから水槽４２ｂ内の水を排水する。
【０２１３】
ここで、超音波振動子を利用した形態の加湿ユニット４Ｂ−１またはヒータを利用した形態の加湿ユニット４Ｂ−２を備えた加湿空調システム１Ｂにおける上述した加湿暖房運転モードの動作例では、ヒータユニット３Ａによる温風の吹き出しと、加湿ユニット４Ｂによる加湿空気の生成を同時に開始して、加湿暖房運転モードが実行されると、温湿風ＨＷＡが吹き出されるようにした。
【０２１４】
これに対して、加湿ユニット４Ｂ−１の超音波振動子４３Ａまたは加湿ユニット４Ｂ−２のヒータ４３Ｂを駆動せずに、ファンユニット２Ａとヒータユニット３Ａによる温風ＨＡの吹き出しを開始した後、図示しない温度検出センサで浴室１０１の温度を検出し、加湿空気の吹き出しに適した温度になると、加湿ユニット４Ｂ−１または加湿ユニット４Ｂ−２による加湿空気の生成を開始して、温湿風ＨＷＡが吹き出されるようにしても良い。
【０２１５】
また、ヒータを利用した形態の加湿ユニット４Ｂ−２を備えた加湿空調システム１Ｂでは、加湿ユニット４Ｂ−２のヒータ４３Ｂを駆動せずに、ファンユニット２Ａとヒータユニット３Ａによる温風ＨＡの吹き出しを開始した後、図示しない温度検出センサで浴室１０１の温度を検出し、加湿空気の吹き出しに適した温度になると、ヒータユニット３Ａにおいてヒータ３１の駆動は停止すると共に、加湿ユニット４Ｂ−２のヒータ４３Ｂを駆動して加湿空気の生成を開始して、加湿空気ＷＡが吹き出されるようにしても良い。
【０２１６】
このように、加湿ユニット４Ｂ−２のヒータ４３Ｂが駆動されている間は、ヒータユニット３Ａのヒータ３１の駆動を停止することで、消費電力を抑えることができる。
【０２１７】
（２−２）他の運転モードの動作例
次に、加湿空調システム１Ｂによる他の運転モードの動作について説明する。ファンユニット２Ａではファン部２０を駆動し、加湿ユニット４Ｂでは超音波振動子４３Ａまたはヒータ４３Ｂを駆動せず、ヒータユニット３Ａではダンパ３２を循環位置にすると共に、ヒータ３１に通電すると、ダクト６ａを通って吸込口ユニット５Ａからファンユニット２Ａに浴室１０１の空気ＲＡが吸い込まれ、ファンユニット２Ａに吸い込まれた空気は、加湿されることなく加湿ユニット４Ｂを通過して、ヒータユニット３Ａへ供給される。
【０２１８】
ヒータユニット３Ａは、ダンパ３２の位置が図３（ａ）に示す循環位置にあると、ファンユニット２Ａから供給された空気は、循環風路３０ａを通って吹出グリル３６から浴室１０１内に吹き出される。そして、ヒータ３１が通電されることで、循環風路３０ａを通る空気が温められて、温風ＨＡが吹出グリル３６から吹き出される。
【０２１９】
これにより、加湿ユニット４Ｂの超音波振動子４３Ａまたはヒータ４３Ｂを駆動せずに、ヒータユニット３Ａのダンパ３２を循環位置としてヒータ３１に通電し、ファンユニット２Ａのファン部２０を駆動すると、浴室１０１内の空気を循環させながら、浴室１０１内に温風が吹き出されて、浴室１０１が暖房される。
【０２２０】
ファンユニット２Ａではファン部２０を駆動し、加湿ユニット４Ｂでは超音波振動子４３Ａまたはヒータ４３Ｂを駆動せず、ヒータユニット３Ａではダンパ３２を換気位置にすると、ダクト６ａを通って吸込口ユニット５Ａからファンユニット２Ａに浴室１０１の空気ＲＡが吸い込まれ、ファンユニット２Ａに吸い込まれた空気は、加湿されることなく加湿ユニット４Ｂを通過して、ヒータユニット３Ａへ供給される。
【０２２１】
ヒータユニット３Ａは、ダンパ３２の位置が図３（ｂ）に示す換気位置にあると、吸込口３３から排出口３５への換気風路３０ｂが形成されるので、ファンユニット２Ａから供給された空気は、換気風路３０ｂを通って排出口３５から排出される。
【０２２２】
これにより、加湿ユニット４Ｂの超音波振動子４３Ａまたはヒータ４３Ｂを駆動せずに、ヒータユニット３Ａのダンパ３２を換気位置にして、ファンユニット２Ａのファン部２０を駆動すると、浴室１０１内の湯気や湿気が排気されて、浴室５１が換気される。
【０２２３】
ファンユニット２Ａではファン部２０を駆動し、加湿ユニット４Ｂでは超音波振動子４３Ａまたはヒータ４３Ｂを駆動せず、ヒータユニット３Ａではダンパ３２を分流位置にすると、ダクト６ａを通って吸込口ユニット５Ａからファンユニット２Ａに浴室１０１の空気ＲＡが吸い込まれ、ファンユニット２Ａに吸い込まれた空気は、加湿されることなく加湿ユニット４Ｂを通過して、ヒータユニット３Ａへ供給される。
【０２２４】
ヒータユニット３Ａは、ダンパ３２の位置が図３（ｃ）に示す分流位置にあると、吸込口３３から吹出口風路３４への循環風路３０ａと、吸込口３３から排出口３５への換気風路３０ｂの双方が形成されるので、ファンユニット２Ａから供給された空気は、一部は循環風路３０ａを通って吹出グリル３６から浴室１０１内に吹き出される。
【０２２５】
また、ファンユニット２Ａから供給された空気の残部は、換気風路３０ｂを通って排出口３５から排出される。
【０２２６】
これにより、加湿ユニット４Ｂの超音波振動子４３Ａまたはヒータ４３Ｂを駆動せずに、ヒータユニット３Ａのダンパ３２を分流位置にして、ファンユニット２Ａのファン部２０を駆動すると、ヒータ３１に通電した場合は、浴室１０１内の空気を循環させて浴室１０１内に温風を吹き出しながら、浴室１０１内の湯気や湿気が排気されて、浴室１０１や洗濯物等が乾燥される。なお、ヒータ３１が非通電の場合は、浴室１０１内に室温に応じた涼風を吹き出して空気を循環させながら、浴室１０１内の湯気や湿気が排気される。
【０２２７】
＜第２の実施の形態の加湿空調システムの作用効果例＞
第２の実施の形態の加湿空調システム１Ｂでも、第１の実施の形態の加湿空調システム１Ａと同様の効果が得られると共に、ヒータユニット３Ａの前段に加湿ユニット４Ｂを配置することで、ヒータユニット３Ａと加湿ユニット４Ｂで吹出グリルを共用化して、吹出グリルの数を減らすことができる。
【０２２８】
これにより、加湿空調システム１Ｂにおいては、浴室１０１の天井パネル１０１ａに露出する部分の面積を一層小さくすることができるので、加湿暖房機能を有した空調システムを、浴室１０１の外観性を損なうことなく設置することができる。
【０２２９】
＜第３の実施の形態の加湿空調システムの構成例＞
（３−１）第３の実施の形態の加湿空調システムの全体構成の概要
図１２は、第３の実施の形態の加湿空調システムの一例を示す構成図である。ここで、図１２では、第３の実施の形態の加湿空調システム１Ｃの各部の構成及び配置は模式的に図示している。
【０２３０】
第３の実施の形態の加湿空調システム１Ｃは、空気を吸い込み、吸い込んだ空気を吹き出すファンユニット２Ａを備える。また、加湿空調システム１Ｃは、ファンユニット２Ａで吸い込まれる空気を加湿して、加湿空気ＷＡを生成する加湿ユニット４Ｃと、ファンユニット２Ａから吹き出された空気を加熱して、温風ＨＡまたは温湿風ＨＷＡを浴室１０１に吹き出すヒータユニット３Ａを備える。
【０２３１】
ファンユニット２Ａは、加湿ユニット４Ｃがダクト６ａを介して接続され、加湿ユニット４Ｃから浴室１０１の空気ＲＡが吸い込まれる。
【０２３２】
また、ファンユニット２Ａは、ヒータユニット３Ａがダクト６ｂを介して接続され、ファンユニット２Ａで吹き出す加湿ユニット４Ｃで加湿された空気またはファンユニット２Ａで吹き出す非加湿の空気がヒータユニット３Ａに送られて、ヒータユニット３Ａから温湿風ＨＷＡまたは温風ＨＡが吹き出される。
【０２３３】
ここで、ファンユニット２Ａは、図２で説明した第１の実施の形態の加湿空調システム１Ａのファンユニット２Ａと同じ構成で良く、ヒータユニット３Ａは、図３で説明した第１の実施の形態の加湿空調システム１Ａのヒータユニット３Ａと同じ構成で良い。
【０２３４】
（３−２）加湿ユニットの構成例
図１３は、第３の実施の形態の加湿空調システム１Ｃにおける加湿ユニットの第１の例を示す構成図であり、次に、加湿空調システム１Ｃを構成する加湿ユニット４Ｃ−１の構成について説明する。
【０２３５】
加湿ユニット４Ｃ−１は加湿装置の一例で、超音波振動子を利用した形態の加湿装置であり、微細化した水滴Ｍを発生させて霧状の加湿空気ＷＡを生成する加湿部４０Ａを備える。
【０２３６】
加湿部４０Ａは加湿手段の一例で、水Ｗを貯める水槽４２Ａと、水槽４２Ａに貯水された水Ｗを振動させて微細化した水滴Ｍを発生させる超音波振動子４３Ａと、微細化されて拡散された水滴Ｍに空気を混合させて加湿し、加湿空気ＷＡを生成する加湿風路４４を備える。また、加湿部４０Ａは、水槽４２Ａに給水を行う給水機構４２ｓと、水槽４２Ａの排水を行う排水機構４２ｅと、水槽４２Ａ内の水位を検出する水位センサ４２ｗを備える。
【０２３７】
水槽４２Ａは、上面が開口して加湿風路４４に露出すると共に、底面に超音波振動子４３Ａを備え、水槽４２Ａに貯水された水Ｗを超音波振動子４３Ａで振動させることで微細化した水滴Ｍを発生させ、水槽４２Ａの上部の加湿風路４４へと拡散させる。
【０２３８】
給水機構４２ｓは、図示しない上水管と接続され、例えば水槽４２Ａの上部に給水口４２ｓｗを備えると共に、給水ＳＷの有無を切り換える給水バルブ４２ｓｂを備える。
【０２３９】
また、排水機構４２ｅは、浴室１０１の図示しない排水管と接続され、水槽４２Ａの底面に排水口４２ｅｗを備えると共に、排水ＥＷの有無を切り換える排水バルブ４２ｅｂを備える。
【０２４０】
水位センサ４２ｗは、水槽４２Ａ内にフロートを備え、フロートの位置で水位を検出する。
【０２４１】
加湿ユニット４Ｃ−１は、下面に吸込グリル４８を備える。吸込グリル４８は室内吸込口の一例で、所定の形状のパネル部に、加湿風路４４とつながる吸込口４８ａを備えて構成される。
【０２４２】
また、加湿ユニット４Ｃ−１は、加湿風路４４とつながる排出口４６ｅを側面に備える。排出口４６ｅは空気排出口の一例で、加湿ユニット４Ｃ−１は、排出口４６ｅに排出ダクトジョイント４６ｆを備える。
【０２４３】
図１４は、第３の実施の形態の加湿空調システム１Ｃにおける加湿ユニットの第２の例を示す構成図であり、次に、加湿空調システム１Ｃを構成する加湿ユニット４Ｃ−２の構成について説明する。
【０２４４】
加湿ユニット４Ｃ−２は加湿装置の一例で、ヒータを利用した形態の加湿装置であり、水蒸気ＷＶ発生させて霧状の加湿空気ＷＡを生成する加湿部４０Ｂを備える。
【０２４５】
加湿部４０Ｂは加湿手段の一例で、水Ｗを貯める水槽４２Ｂと、水槽４２Ｂに貯水された水Ｗを加熱して水蒸気ＷＶを発生させる水加熱手段としてのヒータ４３Ｂと、空気を水蒸気ＷＶで加湿して加湿空気ＷＡを生成する加湿風路４４を備える。また、加湿部４０Ｂは、水槽４２Ｂに給水を行う給水機構４２ｓと、水槽４２Ｂの排水を行う排水機構４２ｅと、水槽４２Ｂ内の水位を検出する水位センサ４２ｗを備える。
【０２４６】
水槽４２Ｂは、上面が開口して加湿風路４４に露出すると共に、内部にヒータ４３Ｂを備え、水槽４２Ｂに貯水された水Ｗを加熱することで水蒸気ＷＶを発生させ、水槽４２Ｂの上部の加湿風路４４へと拡散させる。
【０２４７】
給水機構４２ｓは、図示しない上水管と接続され、例えば水槽４２Ｂの上部に給水口４２ｓｗを備えると共に、給水ＳＷの有無を切り換える給水バルブ４２ｓｂを備える。
【０２４８】
また、排水機構４２ｅは、浴室１０１の図示しない排水管と接続され、水槽４２Ｂの底面に排水口４２ｅｗを備えると共に、排水ＥＷの有無を切り換える排水バルブ４２ｅｂを備える。
【０２４９】
水位センサ４２ｗは、水槽４２Ｂ内にフロートを備え、フロートの位置で水位を検出する。
【０２５０】
加湿ユニット４Ｃ−２は、下面に吸込グリル４８を備える。吸込グリル４８は室内吸込口の一例で、所定の形状のパネル部に、加湿風路４４とつながる吸込口４８ａを備えて構成される。
【０２５１】
また、加湿ユニット４Ｃ−２は、加湿風路４４とつながる排出口４６ｅを側面に備える。排出口４６ｅは空気排出口の一例で、加湿ユニット４Ｃ−２は、排出口４６ｅに排出ダクトジョイント４６ｆを備える。
【０２５２】
＜第３の実施の形態の加湿空調システムの設置例＞
図１５は、第３の実施の形態の加湿空調システムの設置例を示す構成図で、図１５（ａ）は、浴室１０１の天井パネル１０１ａを下面から見た平面図、図１５（ｂ）は、浴室１０１の天井パネル１０１ａを上面から見た平面図である。
【０２５３】
浴室１０１の天井パネル１０１ａには、ヒータユニット３Ａと加湿ユニット４Ｃの設置位置に枠部１０２が取り付けられる。
【０２５４】
ヒータユニット３Ａは、枠部１０２に形成された開口の位置に合わせて、天井パネル１０１ａ上に固定する形態、もしくはアンカーボルト等を使用して天井裏に吊り下げる形態等で設置され、吹出グリル３６が枠部１０２に嵌め込まれて取り付けられる。
【０２５５】
また、加湿ユニット４Ｃは、枠部１０２に形成された開口の位置に合わせて、天井パネル１０１ａ上に固定する形態、もしくはアンカーボルト等を使用して天井裏に吊り下げる形態等で設置され、吸込グリル４８が枠部１０２に嵌め込まれて取り付けられる。
【０２５６】
ここで、ヒータユニット３Ａの吹出グリル３６と、加湿ユニット４Ｃの吸込グリル４８は、短手方向の幅が等しい長方形状とし、枠部１０２によって、一列に並べて配置される。
【０２５７】
また、枠部１０２は、各吹出グリル及び吸込グリルが天井パネル１０１ａに対して略同一面となるように構成されると共に、枠部１０２において、各吹出グリル及び吸込グリルが設置されない箇所については、カバー部材１０２ａが取り付けられて、カバー部材１０２ａが天井パネル１０１ａに対して略同一面となるように構成される。
【０２５８】
これにより、天井パネル１０１ａにおいて、各吹出グリル及び吸込グリルの設置位置は、略フラットな形態となっている。
【０２５９】
ファンユニット２Ａは、天井パネル１０１ａ上に固定する形態、もしくはアンカーボルト等を使用して天井裏に吊り下げる形態等で設置される。ファンユニット２Ａは、浴室１０１から直接空気を吸い込む吸込グリルや、浴室１０１に直接空気を吹き出す吹出グリルを備えていないので、天井パネル１０１ａにおいて、ファンユニット２Ａの設置位置には、開口を形成する必要はない。このため、浴室１０１の天井パネル１０１ａには、ファンユニット２Ａは露出しない。
【０２６０】
浴室１０１の天井パネル１０１ａに設置されたファンユニット２Ａと加湿ユニット４Ｃは、ファンユニット２Ａの吸込ダクトジョイント２４ａと加湿ユニット４Ｃの排出ダクトジョイント４６ｆがダクト６ａで接続される。
【０２６１】
また、浴室１０１の天井パネル１０１ａに設置された加湿ユニット４Ｃは、図示しない上水管とつながる供給配管１０３ａが、図１３または図１４で説明した給水機構４２ｓと接続され、浴室１０１の排水口からの図示しない排水管とつながる排水配管１０３ｂが、排水機構４２ｅと接続される。
【０２６２】
また、浴室１０１の天井パネル１０１ａに設置されたファンユニット２Ａとヒータユニット３Ａは、ファンユニット２Ａの吹出ダクトジョイント２５ａとヒータユニット３Ａの吸込ダクトジョイント３３ａがダクト６ｂで接続される。
【０２６３】
更に、浴室１０１の天井パネル１０１ａに設置されたヒータユニット３Ａは、排出ダクトジョイント３５ａに排気ダクト６ｄが接続される。排気ダクト６ｄは、図示しない建物の外壁に取り付けた屋外グリルに接続され、ファンユニット２Ａで加湿ユニット４Ｃから吸い込んだ浴室１０１等の空気を、ヒータユニット３Ａを経由して、排気ダクト６ｄから屋外に排気できる構成となっている。
【０２６４】
なお、浴室１０１に隣接した図示しない洗面脱衣所には、加湿空調システム１Ｃを制御する図示しない主操作部が設置される。また、加湿空調システム１Ｃを浴室１０１内でも操作できるように、浴室１０１に副操作部を設置しても良い。
【０２６５】
＜第３の実施の形態の加湿空調システムの動作例＞
（３−１）加湿暖房運転モードの動作例
次に、第３の実施の形態の加湿空調システム１Ｃで実行される加湿暖房運転モードの一例について、各図を参照して説明する。ここで、加湿ユニット４Ｃとしては、超音波振動子を利用した形態の加湿ユニット４Ｃ−１を備えた例で説明する。
【０２６６】
図示しない主操作部が操作され、加湿暖房運転モードが選択されると、ファンユニット２Ａでは、ファン部２０を駆動する。また、加湿ユニット４Ｃ−１では、超音波振動子４３Ａを駆動する。更に、ヒータユニット３Ａでは、ダンパ３２を循環位置にすると共に、ヒータ３１に通電する。
【０２６７】
ファンユニット２Ａは、ファンモータ２１ａによりファン２１が回転駆動されると、ファン吸込口２２ａから空気を吸い込む流れが発生する。これにより、ファン吸込口２２ａと連通した吸込口２４とダクト６ａを介して接続されている加湿ユニット４Ｃ−１では、吸込グリル４８の吸込口４８ａから浴室１０１の空気ＲＡが吸い込まれる。
【０２６８】
加湿ユニット４Ｃ−１は、超音波振動子４３Ａを駆動することで、水槽４２Ａに貯水された水Ｗが振動して微細化された水滴Ｍが、水槽４２Ａの上部の加湿風路４４へと拡散する。
【０２６９】
そして、吸込グリル４８から吸い込まれた浴室１０１の空気と混合して加湿空気ＷＡが生成され、排出口４６ｅからダクト６ａを通りファンユニット２Ａへ吸い込まれる。
【０２７０】
加湿ユニット４Ｃ−１からファンユニット２Ａに吸い込まれた加湿空気ＷＡは、吹出口２５から吹き出され、吹出口２５に接続されたダクト６ｂを通りヒータユニット３Ａへ供給される。
【０２７１】
ヒータユニット３Ａは、ダンパ３２の位置が図３（ａ）に示す循環位置にあると、ダクト６ｂと接続された吸込口３３から吹出口風路３４への循環風路３０ａが形成されるので、ファンユニット２Ａから供給された加湿空気ＷＡは、循環風路３０ａを通って吹出グリル３６の吹出口３６ａから浴室１０１内に吹き出される。
【０２７２】
ヒータ３１は、循環風路３０ａの吹出口風路３４に配置されるので、ヒータ３１が通電されることで、循環風路３０ａを通る空気が温められて、温湿風ＨＷＡが吹出グリル３６から吹き出される。
【０２７３】
これにより、加湿暖房運転モードでは、ファンユニット２Ａによって浴室１０１内の空気を循環させながら、ヒータユニット３Ａから温湿風ＨＷＡが吹き出されて、浴室１０１が加湿暖房される。
【０２７４】
このように、温湿風ＨＷＡで浴室１０１を暖房することで、温水によるミストの噴霧のみで浴室１０１を暖房する場合と比較して、短時間で浴室１０１の温度を上げることができる。
【０２７５】
なお、本実施の形態の加湿空調システム１Ｃでは、加湿ユニット４Ｃ−１の水位センサ４２ｗの出力を監視し、水槽４２Ａ内の水が無くならないように、給水機構４２ｓで給水が行われる。
【０２７６】
すなわち、水位センサ４２ｗの出力から、水槽４２Ａ内の水位が所定量まで下がったことを検知すると、図示しない制御手段は給水バルブ４２ｓｂを開き、給水口４２ｓｗから上水を水槽４２Ａに補給する。そして、水位センサ４２ｗの出力から、水槽４２Ａ内の水位が所定量まで上がったことを検知すると、給水バルブ４２ｓｂを閉じる。
【０２７７】
なお、運転停止中のメンテナンス等で、水槽４２Ａ内の水を抜く必要がある場合は、排水バルブ４２ｅｂを開き、排水口４２ｅｗから水槽４２Ａ内の水を排水する。
【０２７８】
次に、加湿ユニット４Ｃとして、ヒータを利用した形態の加湿ユニット４Ｃ−２を備えた第３の実施の形態の加湿空調システム１Ｃで実行される加湿暖房運転モードの一例について、各図を参照して説明する。
【０２７９】
図示しない主操作部が操作され、加湿暖房運転モードが選択されると、ファンユニット２Ａでは、ファン部２０を駆動する。また、加湿ユニット４Ｃ−２では、ヒータ４３Ｂを駆動する。更に、ヒータユニット３Ａでは、ダンパ３２を循環位置にすると共に、ヒータ３１に通電する。
【０２８０】
ファンユニット２Ａは、ファンモータ２１ａによりファン２１が回転駆動されると、ファン吸込口２２ａから空気を吸い込む流れが発生する。これにより、ファン吸込口２２ａと連通した吸込口２４とダクト６ａを介して接続されている加湿ユニット４Ｃ−２では、吸込グリル４８の吸込口４８ａから浴室１０１の空気ＲＡが吸い込まれる。
【０２８１】
加湿ユニット４Ｃ−２は、ヒータ４３Ｂを駆動することで、水槽４２Ｂに貯水された水Ｗが加熱されて水蒸気ＷＶが発生し、水槽４２Ｂの上部の加湿風路４４へと拡散する。
【０２８２】
そして、吸込グリル４８から吸い込まれた浴室１０１の空気と混合して加湿空気ＷＡが生成され、排出口４６ｅからダクト６ａを通りファンユニット２Ａへ吸い込まれる。
【０２８３】
加湿ユニット４Ｃ−２からファンユニット２Ａに吸い込まれた加湿空気ＷＡは、吹出口２５から吹き出され、吹出口２５に接続されたダクト６ｂを通りヒータユニット３Ａへ供給される。
【０２８４】
ヒータユニット３Ａは、ダンパ３２の位置が図３（ａ）に示す循環位置にあると、ダクト６ｂと接続された吸込口３３から吹出口風路３４への循環風路３０ａが形成されるので、ファンユニット２Ａから供給された加湿空気ＷＡは、循環風路３０ａを通って吹出グリル３６の吹出口３６ａから浴室１０１内に吹き出される。
【０２８５】
ヒータ３１は、循環風路３０ａの吹出口風路３４に配置されるので、ヒータ３１が通電されることで、循環風路３０ａを通る空気が温められて、温湿風ＨＷＡが吹出グリル３６から吹き出される。
【０２８６】
これにより、ヒータを利用した形態の加湿ユニット４Ｃ−２を備えた加湿空調システム１Ｃにおける加湿暖房運転モードでも、ファンユニット２Ａによって浴室１０１内の空気を循環させながら、ヒータユニット３Ａから温湿風ＨＷＡが吹き出されて、浴室１０１が加湿暖房される。
【０２８７】
このように、温湿風ＨＷＡで浴室１０１を暖房することで、温水によるミストの噴霧のみで浴室１０１を暖房する場合と比較して、短時間で浴室１０１の温度を上げることができる。
【０２８８】
なお、ヒータを利用した形態の加湿ユニット４Ｃ−２を備えた加湿空調システム１Ｃでも、加湿ユニット４Ｃ−２の水位センサ４２ｗの出力を監視し、水槽４２Ｂ内の水が無くならないように、給水機構４２ｓで給水が行われる。
【０２８９】
すなわち、水位センサ４２ｗの出力から、水槽４２Ｂ内の水位が所定量まで下がったことを検知すると、図示しない制御手段は給水バルブ４２ｓｂを開き、給水口４２ｓｗから上水を水槽４２Ｂに補給する。そして、水位センサ４２ｗの出力から、水槽４２Ｂ内の水位が所定量まで上がったことを検知すると、給水バルブ４２ｓｂを閉じる。
【０２９０】
なお、運転停止中のメンテナンス等で、水槽４２Ｂ内の水を抜く必要がある場合は、排水バルブ４２ｅｂを開き、排水口４２ｅｗから水槽４２Ｂ内の水を排水する。
【０２９１】
ここで、超音波振動子を利用した形態の加湿ユニット４Ｃ−１またはヒータを利用した形態の加湿ユニット４Ｃ−２を備えた加湿空調システム１Ｃにおける上述した加湿暖房運転モードの動作例では、ヒータユニット３Ａによる温風の吹き出しと、加湿ユニット４Ｃ−１または加湿ユニット４Ｃ−２による加湿空気の生成を同時に開始して、加湿暖房運転モードが実行されると、温湿風ＨＷＡが吹き出されるようにした。
【０２９２】
これに対して、加湿ユニット４Ｃ−１の超音波振動子４３Ａまたは加湿ユニット４Ｃ−２のヒータ４３Ｂを駆動せずに、ファンユニット２Ａとヒータユニット３Ａによる温風ＨＡの吹き出しを開始した後、図示しない温度検出センサで浴室１０１の温度を検出し、加湿空気の吹き出しに適した温度になると、加湿ユニット４Ｃ−１または加湿ユニット４Ｃ−２による加湿空気の生成を開始して、温湿風ＨＷＡが吹き出されるようにしても良い。
【０２９３】
また、ヒータを利用した形態の加湿ユニット４Ｃ−２を備えた加湿空調システム１Ｃでは、加湿ユニット４Ｃ−２のヒータ４３Ｂを駆動せずに、ファンユニット２Ａとヒータユニット３Ａによる温風ＨＡの吹き出しを開始した後、図示しない温度検出センサで浴室１０１の温度を検出し、加湿空気の吹き出しに適した温度になると、ヒータユニット３Ａにおいてヒータ３１の駆動は停止すると共に、加湿ユニット４Ｃ−２のヒータ４３Ｂを駆動して加湿空気の生成を開始して、加湿空気ＷＡが吹き出されるようにしても良い。
【０２９４】
このように、加湿ユニット４Ｃ−２のヒータ４３Ｂが駆動されている間は、ヒータユニット３Ａのヒータ３１の駆動を停止することで、消費電力を抑えることができる。
【０２９５】
（３−２）他の運転モードの動作例
次に、加湿空調システム１Ｃによる他の運転モードの動作について説明する。ファンユニット２Ａではファン部２０を駆動し、加湿ユニット４Ｃでは超音波振動子４３Ａまたはヒータ４３Ｂを駆動せず、ヒータユニット３Ａではダンパ３２を循環位置にすると共に、ヒータ３１に通電すると、加湿ユニット４Ｃからファンユニット２Ａに浴室１０１の空気ＲＡが加湿されることなく吸い込まれ、ファンユニット２Ａに吸い込まれた空気はヒータユニット３Ａへ供給される。
【０２９６】
ヒータユニット３Ａは、ダンパ３２の位置が図３（ａ）に示す循環位置にあると、ファンユニット２Ａから供給された空気は、循環風路３０ａを通って吹出グリル３６から浴室１０１内に吹き出される。そして、ヒータ３１が通電されることで、循環風路３０ａを通る空気が温められて、温風ＨＡが吹出グリル３６から吹き出される。
【０２９７】
これにより、加湿ユニット４Ｃの超音波振動子４３Ａまたはヒータ４３Ｂを駆動せずに、ヒータユニット３Ａのダンパ３２を循環位置としてヒータ３１に通電し、ファンユニット２Ａのファン部２０を駆動すると、浴室１０１内の空気を循環させながら、浴室１０１内に温風が吹き出されて、浴室１０１が暖房される。
【０２９８】
ファンユニット２Ａではファン部２０を駆動し、加湿ユニット４Ｃでは超音波振動子４３Ａまたはヒータ４３Ｂを駆動せず、ヒータユニット３Ａではダンパ３２を換気位置にすると、加湿ユニット４Ｃからファンユニット２Ａに浴室１０１の空気ＲＡが加湿されることなく吸い込まれ、ファンユニット２Ａに吸い込まれた空気はヒータユニット３Ａへ供給される。
【０２９９】
ヒータユニット３Ａは、ダンパ３２の位置が図３（ｂ）に示す換気位置にあると、吸込口３３から排出口３５への換気風路３０ｂが形成されるので、ファンユニット２Ａから供給された空気は、換気風路３０ｂを通って排出口３５から排出される。
【０３００】
これにより、加湿ユニット４Ｃの超音波振動子４３Ａまたはヒータ４３Ｂを駆動せずに、ヒータユニット３Ａのダンパ３２を換気位置にして、ファンユニット２Ａのファン部２０を駆動すると、浴室１０１内の湯気や湿気が排気されて、浴室５１が換気される。
【０３０１】
ファンユニット２Ａではファン部２０を駆動し、加湿ユニット４Ｃでは超音波振動子４３Ａまたはヒータ４３Ｂを駆動せず、ヒータユニット３Ａではダンパ３２を分流位置にすると、加湿ユニット４Ｃからファンユニット２Ａに浴室１０１の空気ＲＡが加湿されることなく吸い込まれ、ファンユニット２Ａに吸い込まれた空気はヒータユニット３Ａへ供給される。
【０３０２】
ヒータユニット３Ａは、ダンパ３２の位置が図３（ｃ）に示す分流位置にあると、吸込口３３から吹出口風路３４への循環風路３０ａと、吸込口３３から排出口３５への換気風路３０ｂの双方が形成されるので、ファンユニット２Ａから供給された空気は、一部は循環風路３０ａを通って吹出グリル３６から浴室１０１内に吹き出される。
【０３０３】
また、ファンユニット２Ａから供給された空気の残部は、換気風路３０ｂを通って排出口３５から排出される。
【０３０４】
これにより、加湿ユニット４Ｃの超音波振動子４３Ａまたはヒータ４３Ｂを駆動せずに、ヒータユニット３Ａのダンパ３２を分流位置にして、ファンユニット２Ａのファン部２０を駆動すると、ヒータ３１に通電した場合は、浴室１０１内の空気を循環させて浴室１０１内に温風を吹き出しながら、浴室１０１内の湯気や湿気が排気されて、浴室１０１や洗濯物等が乾燥される。なお、ヒータ３１が非通電の場合は、浴室１０１内に室温に応じた涼風を吹き出して空気を循環させながら、浴室１０１内の湯気や湿気が排気される。
【０３０５】
＜第３の実施の形態の加湿空調システムの作用効果例＞
第３の実施の形態の加湿空調システム１Ｃでも、第１の実施の形態の加湿空調システム１Ａと同様の効果が得られると共に、ファンユニット２Ａの前段に吸込グリル４８を備えた加湿ユニット４Ｃを配置することで、吸込グリルの数を減らすことができる。
【０３０６】
これにより、加湿空調システム１Ｃにおいては、浴室１０１の天井パネル１０１ａに露出する部分の面積を一層小さくすることができるので、加湿暖房機能を有した空調システムを、浴室１０１の外観性を損なうことなく設置することができる。
【産業上の利用可能性】
【０３０７】
本発明は、浴室やシャワー室等の加湿暖房を行う空調システムに適用される。
【図面の簡単な説明】
【０３０８】
【図１】第１の実施の形態の加湿空調システムの一例を示す構成図である。
【図２】第１の実施の形態におけるファンユニットの一例を示す構成図である。
【図３】第１の実施の形態におけるヒータユニットの一例を示す構成図である。
【図４】第１の実施の形態における加湿ユニットの第１の例を示す構成図である。
【図５】第１の実施の形態における加湿ユニットの第２の例を示す構成図である。
【図６】第１の実施の形態における吸込口ユニットの一例を示す構成図である。
【図７】第１の実施の形態の加湿空調システムの設置例を示す構成図である。
【図８】第２の実施の形態の加湿空調システムの一例を示す構成図である。
【図９】第２の実施の形態における加湿ユニットの第１の例を示す構成図である。
【図１０】第２の実施の形態における加湿ユニットの第２の例を示す構成図である。
【図１１】第２の実施の形態の加湿空調システムの設置例を示す構成図である。
【図１２】第３の実施の形態の加湿空調システムの一例を示す構成図である。
【図１３】第３の実施の形態における加湿ユニットの第１の例を示す構成図である。
【図１４】第３の実施の形態における加湿ユニットの第２の例を示す構成図である。
【図１５】第３の実施の形態の加湿空調システムの設置例を示す構成図である。
【符号の説明】
【０３０９】
１Ａ，１Ｂ，１Ｃ・・・加湿空調システム、２Ａ・・・ファンユニット、３Ａ・・・ヒータユニット、４Ａ，４Ｂ，４Ｃ・・・加湿ユニット、５Ａ・・・吸込口ユニット、６ａ〜６ｃ・・・ダクト、２０・・・ファン部、３０・・・風路切換部、３１・・・ヒータ、３６・・・吹出グリル、４３Ａ・・・超音波振動子、４３Ｂ・・・ヒータ、４７・・・吹出グリル、４８・・・吸込グリル、５０・・・吸込グリル、１０１・・・浴室
【図１】
2008151453.tif 000003
【図２】
2008151453.tif 000004
【図３】
2008151453.tif 000005
【図４】
2008151453.tif 000006
【図５】
2008151453.tif 000007
【図６】
2008151453.tif 000008
【図７】
2008151453.tif 000009
【図８】
2008151453.tif 000010
【図９】
2008151453.tif 000011
【図１０】
2008151453.tif 000012
【図１１】
2008151453.tif 000013
【図１２】
2008151453.tif 000014
【図１３】
2008151453.tif 000015
【図１４】
2008151453.tif 000016
【図１５】
2008151453.tif 000017